(57)【要約】【課題】トラブル回避の正確性を高めることができるとともに、トラブルの原因追求が可能な貨幣処理装置および管理装置を提供する。【解決手段】貨幣の入金処理および出金処理の少なくともいずれか一方の貨幣処理を行う貨幣処理手段１２，１３と、振動を検知する検知手段１９と、検知手段１９により検知された振動に応じて、貨幣処理手段１２，１３を保護する保護処理を行う保護手段２０と、検知手段１９により検知された振動に関する情報と保護手段２０により実行した保護処理に関する情報とが対応付けられた管理ログデータを記憶する記憶手段１８とを具備する。【選択図】図１
2019164523.tif 000002
【特許請求の範囲】
【請求項１】
貨幣の入金処理および出金処理の少なくともいずれか一方の貨幣処理を行う貨幣処理手段と、
振動を検知する検知手段と、
前記検知手段により検知された振動に応じて、前記貨幣処理手段を保護する保護処理を行う保護手段と、
前記検知手段により検知された振動に関する情報と前記保護手段により実行した保護処理に関する情報とが対応付けられた管理ログデータを記憶する記憶手段と
を具備する貨幣処理装置。
【請求項２】
前記保護手段は、前記貨幣処理手段の貨幣処理の動作中に前記検知手段により所定値以上の振動が検知されると、前記貨幣処理手段に対し、貨幣の搬送の上流側の繰り出し動作を停止させ、搬送中の貨幣の場所を確定後、搬送動作を停止させる第１の保護処理を行うことを特徴とする請求項１記載の貨幣処理装置。
【請求項３】
前記保護手段は、前記第１の保護処理後、前記検知手段により所定値以上の振動が再度検知されると、装置電源をオフする第２の保護処理を行うことを特徴とする請求項２記載の貨幣処理装置。
【請求項４】
前記保護手段は、前記第２の保護処理において、装置電源のオフのキャンセルの入力を受け付けることをさらに特徴とする請求項３記載の貨幣処理装置。
【請求項５】
貨幣の入金処理および出金処理の少なくともいずれか一方の貨幣処理を行う貨幣処理装置と通信可能な管理装置であって、
振動を検知する検知手段と、
前記検知手段により検知された振動に応じて、前記貨幣処理装置を保護するための制御信号を前記貨幣処理装置に送信する送信手段と、
前記貨幣処理装置から前記制御信号により実行した保護処理に関する情報を受信する受信手段と、
前記検知手段により検知された振動に関する情報と前記受信手段により受信した、前記制御信号により実行した保護処理に関する情報とが対応付けられた管理ログデータを記憶する記憶手段と
を具備する管理装置。
【発明の詳細な説明】
【技術分野】
【０００１】
本発明は、貨幣処理装置および管理装置に関する。
【背景技術】
【０００２】
金融機関等の店舗等に設置される貨幣処理装置として、行員が使用する窓口機や出納機等がある。貨幣処理装置は、貨幣の入出金が可能であり、自身に収納している貨幣の在高を記憶している。このような貨幣処理装置は、処理動作中に地震や外部からの強い衝撃等が生じても動作を継続するため、誤動作や現金障害又は装置故障等を発生するおそれがある。
【０００３】
そこで、地震による現金自動取扱装置（以下、ＡＴＭ）の故障等で、地震発生時に取引中であった利用者の利便性の低下を抑えるために、緊急地震速報（地震予知情報）を受信する受信手段を備え、緊急地震速報を受信すると、取引処理を中止または中断するとともに、利用者が投入した装置内の媒体を、当該利用者に返却する構成のＡＴＭが提案されている（例えば、特許文献１参照）。
【先行技術文献】
【特許文献】
【０００４】
【特許文献１】特開２００８−３０４９９２号公報
【発明の概要】
【発明が解決しようとする課題】
【０００５】
上述したように緊急地震速報に基づいて制御を行うものでは、装置に影響を及ぼす規模の地震が発生していないにもかかわらず緊急地震速報が発せられた場合に、取引処理を中止または中断してしまうことになる。また、緊急地震速報が発せられない状況で強い衝撃等の外的要因を受けても取引処理を継続してしまうため、誤動作や現金障害又は装置故障等のトラブルを発生するリスクがある。また、このような外的要因によるトラブルが発生しても、後になってからの原因追求が難しい。
【０００６】
本発明は、トラブル回避の正確性を高めることができるとともに、トラブルの原因追求が可能な貨幣処理装置および管理装置の提供を目的とする。
【課題を解決するための手段】
【０００７】
上記目的を達成するために、本発明に係る第１の態様は、貨幣の入金処理および出金処理の少なくともいずれか一方の貨幣処理を行う貨幣処理手段と、振動を検知する検知手段と、前記検知手段により検知された振動に応じて、前記貨幣処理手段を保護する保護処理を行う保護手段と、前記検知手段により検知された振動に関する情報と前記保護手段により実行した保護処理に関する情報とが対応付けられた管理ログデータを記憶する記憶手段とを具備する。
【０００８】
上記第１の態様によれば、振動を検知する検知手段が貨幣処理装置に具備されており、この検知手段により実際に検知された振動に応じて、保護手段が貨幣処理手段を保護する保護処理を行うため、トラブル回避の正確性を高めることができる。また、記憶手段が、検知手段により検知された振動に関する情報と保護手段により実行した保護処理に関する情報とが対応付けられた管理ログデータを記憶するため、外的要因によるトラブルが発生しても、トラブルの原因追求が可能となる。
【０００９】
本発明に係る第２の態様は、上記第１の態様において、前記保護手段は、前記貨幣処理手段の貨幣処理の動作中に前記検知手段により所定値以上の振動が検知されると、前記貨幣処理手段に対し、貨幣の搬送の上流側の繰り出し動作を停止させ、搬送中の貨幣の場所を確定後、搬送動作を停止させる第１の保護処理を行う。
【００１０】
上記第２の態様によれば、貨幣処理手段の貨幣処理の動作中に検知手段により所定値以上の振動が検知されると、保護手段が、貨幣処理手段に対し、貨幣の搬送の上流側の繰り出し動作を停止させ、搬送中の貨幣の場所を確定後、搬送動作を停止させる第１の保護処理を行う。よって、貨幣の搬送の上流側の繰り出し動作を継続してしまうことによるトラブルと、貨幣の搬送を中断してしまうことによるトラブルとを回避できる。
【００１１】
本発明に係る第３の態様は、上記第２の態様において、前記保護手段は、前記第１の保護処理後、前記検知手段により所定値以上の振動が再度検知されると、装置電源をオフする第２の保護処理を行う。
【００１２】
上記第３の態様によれば、第１の保護処理後、検知手段により所定値以上の振動が再度検知されると、保護手段が装置電源をオフする第２の保護処理を行う。よって、意図的な衝撃を複数回受けた場合や地震発生後に余震が発生した場合に、装置電源をオフすることになり、重大なトラブルに発展することを抑制することができる。
【００１３】
本発明に係る第４の態様は、上記第３の態様において、前記保護手段は、前記第２の保護処理において、装置電源のオフのキャンセルの入力を受け付ける。
【００１４】
上記第４の態様によれば、保護手段が、第２の保護処理において、装置電源のオフのキャンセルの入力を受け付けるため、装置電源をオフすることを止めることができ、ユーザーへ装置電源のオフを実行するか否かの判断を委ねることが可能となる。
【００１５】
本発明に係る第５の態様は、貨幣の入金処理および出金処理の少なくともいずれか一方の貨幣処理を行う貨幣処理装置と通信可能な管理装置であって、振動を検知する検知手段と、前記検知手段により検知された振動に応じて、前記貨幣処理装置を保護するための制御信号を前記貨幣処理装置に送信する送信手段と、前記貨幣処理装置から前記制御信号により実行した保護処理に関する情報を受信する受信手段と、前記検知手段により検知された振動に関する情報と前記受信手段により受信した、前記制御信号により実行した保護処理に関する情報とが対応付けられた管理ログデータを記憶する記憶手段とを具備する。
【００１６】
上記第５の態様によれば、振動を検知する検知手段が管理装置に具備されており、この検知手段により実際に検知された振動に応じて、管理装置の送信手段が、貨幣処理装置を保護するための制御信号を貨幣処理装置に送信する。すると、貨幣処理装置が、この制御信号により制御されて保護処理を実行する。よって、トラブル回避の正確性を高めることができる。そして、管理装置の受信手段が、制御信号により実行した保護処理に関する情報を貨幣処理装置から受信すると、管理装置の記憶手段が、検知手段により検知された振動に関する情報と受信手段により受信した、制御信号により実行した保護処理に関する情報とが対応付けられた管理ログデータを記憶する。よって、トラブルの原因追求が可能となる。加えて、管理装置が振動を検知する検知手段を有していて、貨幣処理装置を制御するため、貨幣処理装置に振動を検知する検知手段が不要となり、特に管理装置が複数の貨幣処理装置を制御する場合にシステム全体の低コスト化が図れる。
【発明の効果】
【００１７】
本発明によれば、トラブル回避の正確性を高めることができるとともに、トラブルの原因追求が可能な貨幣処理装置および管理装置を提供することができる。
【図面の簡単な説明】
【００１８】
【図１】本発明の第１実施形態に係る貨幣処理装置を概略的に示すブロック図である。
【図２】本発明の第１実施形態に係る貨幣処理装置の紙幣処理部を概略的に示すブロック図である。
【図３】本発明の第１実施形態に係る貨幣処理装置の硬貨処理部を概略的に示すブロック図である。
【図４】本発明の第１実施形態に係る貨幣処理装置の保護処理のフローチャートである。
【図５】本発明の第１実施形態に係る貨幣処理装置の保護処理のフローチャートである。
【図６】本発明の第１実施形態に係る貨幣処理装置の保護処理のフローチャートである。
【図７】本発明の第１実施形態に係る貨幣処理装置の保護処理のフローチャートである。
【図８】本発明の第１実施形態に係る貨幣処理装置の表示操作部の表示例を示す図である。
【図９】本発明の第１実施形態に係る貨幣処理装置の表示操作部の表示例を示す図である。
【図１０】本発明の第２実施形態に係る管理装置を含む貨幣処理システムを概略的に示すブロック図である。
【発明を実施するための形態】
【００１９】
＜第１実施形態＞
本発明の第１実施形態を図１〜図９を参照して以下に説明する。
【００２０】
図１に示すように、第１実施形態に係る貨幣処理装置１１は、貨幣処理として紙幣の入出金処理を行う紙幣処理部１２（貨幣処理手段）と、貨幣処理として硬貨の入出金処理を行う硬貨処理部１３（貨幣処理手段）と、操作者に向けた画面表示を行うとともに操作者による操作入力を受け付ける表示操作部１４と、貨幣処理装置１１の各部に電力供給を行う電源部１５とを有している。
【００２１】
また、貨幣処理装置１１は、貨幣処理装置１１の在高データを含む各処理に関するデータ等を記憶する記憶部１８（記憶手段）と、貨幣処理装置１１に生じた振動を直接検知する振動検知部１９（検知手段）と、貨幣処理装置１１の各部を制御する制御部２０（保護手段）とを有している。記憶部１８は、貨幣処理装置１１の貨幣の在高データを記憶する在高データ記憶領域２２と、貨幣処理装置１１の各種管理に関する管理ログデータを記憶する管理ログ記憶領域２３とを有している。在高データ記憶領域２２に記憶された貨幣の在高データおよび管理ログ記憶領域２３に記憶された管理ログデータは、表示操作部１４への操作で表示操作部１４等に表示可能となっている。
【００２２】
紙幣処理部１２、硬貨処理部１３、表示操作部１４、電源部１５、記憶部１８、振動検知部１９および制御部２０は、貨幣処理装置１１の外側部分を構成する筐体２１に設けられている。紙幣処理部１２、硬貨処理部１３および表示操作部１４は、筐体２１の外部に臨む位置に設けられている。電源部１５、記憶部１８、振動検知部１９および制御部２０は、筐体２１内に設けられている。ここで、以下の説明において使用する「前」は貨幣処理装置１１の操作者側、「後」は貨幣処理装置１１の操作者とは反対側、「左右」は貨幣処理装置１１の操作者から見た左右である。
【００２３】
［紙幣処理部１２］
図２に示すように、紙幣処理部１２は、筐体２１の前面側の上下方向中間部に、貨幣であるバラ紙幣を搬送する第１紙幣搬送部２９を有している。紙幣処理部１２は、筐体２１の前面側の上下方向中間部に、第１紙幣搬送部２９にバラ紙幣を繰り出す紙幣入金部３０と、いずれも第１紙幣搬送部２９で搬送されてきたバラ紙幣を収容する紙幣出金返却部３１および紙幣出金リジェクト庫３２とを有している。
【００２４】
紙幣入金部３０は、装置外に臨んで設けられて貨幣であるバラ紙幣が投入される。紙幣入金部３０は、集積状態に纏められた複数枚のバラ紙幣を収容可能であり、纏めて投入されたバラ紙幣を一枚ずつに分離して第１紙幣搬送部２９に繰り出す。紙幣出金返却部３１は、装置外に臨んで設けられて第１紙幣搬送部２９で搬送されてきたバラ紙幣の出金および返却が行われる。紙幣出金返却部３１は、複数枚のバラ紙幣を集積状態に纏めて収容可能である。紙幣出金リジェクト庫３２は、筐体２１内に設けられており、第１紙幣搬送部２９で搬送されてきたバラ紙幣を収納する。紙幣出金リジェクト庫３２は、複数枚のバラ紙幣を集積状態に纏めて収容可能である。
【００２５】
紙幣入金部３０は、開閉可能な図示略のシャッタを有しており、バラ紙幣の入金処理時にシャッタが開状態とされて装置外からバラ紙幣が投入され、その後、シャッタが閉じられてバラ紙幣を一枚ずつに分離して第１紙幣搬送部２９に繰り出す。バラ紙幣は、紙幣処理部１２内で、基本的にその短手方向を搬送方向に沿わせた姿勢で搬送される。紙幣出金返却部３１は、開閉可能な図示略のシャッタを有しており、バラ紙幣の出金処理時にシャッタが閉状態とされて第１紙幣搬送部２９から出金用のバラ紙幣が繰り出され、その後、シャッタが開かれることでバラ紙幣が装置外に取り出される。紙幣出金返却部３１には、バラ紙幣の入金処理時にリジェクトされるバラ紙幣も、シャッタが閉状態とされて第１紙幣搬送部２９から繰り出される。紙幣出金リジェクト庫３２は、バラ紙幣の出金処理時にリジェクトされる、重送、斜行等の搬送不良のバラ紙幣を収納する。
【００２６】
第１紙幣搬送部２９の下方および後方には、第１紙幣搬送部２９との間でバラ紙幣を受け渡し可能であって、バラ紙幣を搬送する第２紙幣搬送部３４が設けられている。第２紙幣搬送部３４は、搬送中のバラ紙幣の表裏を取り揃えることが可能となっている。第２紙幣搬送部３４の後方には、第２紙幣搬送部３４との間でバラ紙幣を受け渡し可能であって、バラ紙幣を搬送しつつ、その真偽と、真紙幣の金種と、重送、斜行あるいはニアフィード等の搬送異常の有無等を識別し、計数する紙幣識別計数部３５が設けられている。紙幣識別計数部３５は、例えば、紙幣入金部３０から繰り出され、第１紙幣搬送部２９および第２紙幣搬送部３４で搬送されてきたバラ紙幣を識別し計数する。
【００２７】
第１紙幣搬送部２９の後方であって第２紙幣搬送部３４の上方には、第１紙幣搬送部２９からバラ紙幣を受け取り、整列させて所定の結束単位枚数ずつ集積させる整列部３６が設けられている。また、この整列部３６の後方には、整列部３６で集積された結束単位枚数のバラ紙幣を集積状態のまま上方に搬送する昇降搬送部３７が設けられている。また、整列部３６の上方には、整列部３６で集積され昇降搬送部３７で搬送されてきた結束単位枚数の集積紙幣に結束テープを巻き回して束紙幣とする結束部３８が設けられている。この結束部３８の前側には結束部３８で作成された束紙幣を装置外に取り出し可能とする束出金部３９が設けられている。束出金部３９は、第１紙幣搬送部２９の上方に位置しており、装置外に臨んで設けられている。束出金部３９も開閉可能な図示略のシャッタを有しており、シャッタが閉状態とされて結束部３８から束紙幣が繰り出され、その後、シャッタが開かれることで束紙幣が装置外に取り出される。
【００２８】
第１紙幣搬送部２９、第２紙幣搬送部３４および紙幣識別計数部３５の下方には、紙幣識別計数部３５で識別され計数されたバラ紙幣を搬送する第３紙幣搬送部４２が前後方向に延在して設けられている。第３紙幣搬送部４２の下側には、後側から順に、紙幣収納出金部４５と、紙幣収納部４６と、収納カセット４７とが設けられている。
【００２９】
紙幣収納出金部４５は、第３紙幣搬送部４２との間でバラ紙幣を受け渡し可能であって、第３紙幣搬送部４２で搬送されてきたバラ紙幣を集積状態に纏めて収容可能である。紙幣収納出金部４５は、上部の一時貯留領域に、所定の複数金種のバラ紙幣を入金承認前に金種別に分類して返却可能に一時貯留するとともに、入金承認後に、下部の収納領域に金種別に分類した状態のまま繰り出し可能に収納する。紙幣収納出金部４５は、収納領域に収納しているバラ紙幣を金種別に繰り出し可能となっており、還流紙幣を収納する還流庫である。紙幣収納出金部４５の一時貯留領域は、紙幣収納出金部４５の収納領域に収納しているバラ紙幣とは分離してバラ紙幣を一時貯留する。
【００３０】
紙幣収納部４６も、第３紙幣搬送部４２との間でバラ紙幣を受け渡し可能であって、第３紙幣搬送部４２で搬送されてきたバラ紙幣を集積状態に纏めて収容可能である。紙幣収納部４６は、上部の一時貯留領域に、所定の金種等のバラ紙幣を入金承認前に返却可能に一時貯留するとともに、入金承認後に、下部の収納領域に繰り出し不可に収納する。紙幣収納部４６は、筐体２１に対し着脱可能である。紙幣収納部４６の一時貯留領域は、紙幣収納部４６の収納領域に収納しているバラ紙幣とは分離してバラ紙幣を一時貯留する。
【００３１】
収納カセット４７も、第３紙幣搬送部４２との間でバラ紙幣を受け渡し可能であって、第３紙幣搬送部４２で搬送されてきたバラ紙幣を集積状態に纏めて収容可能である。収納カセット４７は、筐体２１に対し着脱可能であり、回収処理時に紙幣収納出金部４５から繰り出されたバラ紙幣を第３紙幣搬送部４２から取り込んで収納するとともに、補充処理時に補充用のバラ紙幣が装置外で装填され、装填されたバラ紙幣を第３紙幣搬送部４２に繰り出す。
【００３２】
第３紙幣搬送部４２は、例えば、バラ紙幣の入金処理時に紙幣入金部３０から繰り出され、第１紙幣搬送部２９、第２紙幣搬送部３４および紙幣識別計数部３５で搬送されてきたバラ紙幣を、紙幣識別計数部３５の識別結果に基づいて、紙幣収納出金部４５と、紙幣収納部４６と、収納カセット４７とに振り分ける。
【００３３】
次に、紙幣処理部１２の主要な処理について説明する。
【００３４】
「バラ紙幣入金処理」
バラ紙幣入金処理は、貨幣処理装置１１で通常行われる貨幣処理の一つである。表示操作部１４に入金処理の選択操作がなされると、制御部２０は、バラ紙幣入金処理を行う。バラ紙幣入金処理において、制御部２０は、紙幣入金部３０の図示略のシャッタを開く。この状態で、紙幣入金部３０にバラ紙幣が投入されたことを図示略のセンサが検出すると、制御部２０は、紙幣入金部３０のシャッタを閉じ、投入されたバラ紙幣を、紙幣入金部３０で一枚ずつ繰り出し、第１紙幣搬送部２９および第２紙幣搬送部３４で搬送して、紙幣識別計数部３５に識別および計数させる。
【００３５】
制御部２０は、紙幣識別計数部３５が受け入れ可能と識別した紙幣、すなわち取り扱い可能な金種の真券で正常搬送の正常紙幣を、第３紙幣搬送部４２で、紙幣収納出金部４５および紙幣収納部４６に振り分ける。すなわち、制御部２０は、受け入れ可能と識別したバラ紙幣のうち、出金用として使用するバラ紙幣を、第３紙幣搬送部４２で金種別に分類して紙幣収納出金部４５の上部の一時貯留領域に一時貯留し、出金用として使用しないバラ紙幣を紙幣収納部４６の上部の一時貯留領域に一時貯留する。
【００３６】
他方で、制御部２０は、紙幣入金部３０が繰り出したバラ紙幣のうち、紙幣識別計数部３５が受け入れ不可と識別した紙幣、すなわち金種識別できない金種識別不良のバラ紙幣と、重送、斜行あるいはニアフィード等の搬送異常のバラ紙幣とについては、紙幣識別計数部３５から、第３紙幣搬送部４２、第２紙幣搬送部３４および第１紙幣搬送部２９で搬送し紙幣出金返却部３１にリジェクトする。このとき、搬送路が重なるため、紙幣入金部３０からのバラ紙幣の繰り出しは一時中断する。
【００３７】
以上のバラ紙幣入金処理を行うことによって、紙幣入金部３０に装置外から投入されたバラ紙幣がなくなり、紙幣入金部３０から繰り出されたすべてのバラ紙幣が、紙幣収納出金部４５、紙幣収納部４６および紙幣出金返却部３１のいずれかに搬送されると、制御部２０は、紙幣出金返却部３１にバラ紙幣がある場合、紙幣出金返却部３１の図示略のシャッタを開いて、リジェクトされたバラ紙幣を紙幣出金返却部３１から装置外に取り出し可能にする。
【００３８】
そして、制御部２０は、入金処理として後述するバラ硬貨入金処理も並行して行われている場合には、その終了を待って、紙幣識別計数部３５で受け入れ可能と判定して紙幣収納出金部４５の一時貯留領域および紙幣収納部４６の一時貯留領域に一時貯留したバラ紙幣の金種別の枚数および総額等を表示操作部１４に表示させる。後述するバラ硬貨入金処理が行われた場合には、バラ硬貨入金処理で受け入れ可能と判定して一時貯留しているバラ硬貨の金種別の枚数および総額等も併せて表示操作部１４に表示させる。そして、制御部２０は、表示操作部１４への入金承認操作および入金キャンセル操作の入力を待機する状態となってバラ紙幣入金処理を終了する。
【００３９】
「バラ紙幣収納処理」
バラ紙幣収納処理も、貨幣処理装置１１で通常行われる貨幣処理の一つである。入金処理後、表示操作部１４への入金承認操作が入力された入金承認時に、制御部２０は、バラ紙幣収納処理を行う。バラ紙幣収納処理において、制御部２０は、記憶部１８の在高データ記憶領域２２に記憶されている在高データに、入金処理で受け入れ可能としたデータ分を加算し、バラ紙幣入金処理にて紙幣収納出金部４５の一時貯留領域に金種別に分類して一時貯留したバラ紙幣を、分類状態のまま紙幣収納出金部４５の収納領域に収納するとともに、紙幣収納部４６の一時貯留領域に一時貯留したバラ紙幣を紙幣収納部４６の収納領域に収納するバラ紙幣収納処理を行う。
【００４０】
「バラ紙幣返却処理」
バラ紙幣返却処理も、貨幣処理装置１１で通常行われる貨幣処理の一つである。入金処理後、表示操作部１４への入金キャンセル操作が入力された入金キャンセル時に、制御部２０は、バラ紙幣返却処理を行う。バラ紙幣返却処理において、制御部２０は、記憶部１８の在高データ記憶領域２２に記憶されている在高データに、入金処理で受け入れ可能としたデータ分を加算することなく、バラ紙幣入金処理にて紙幣収納出金部４５および紙幣収納部４６に一時貯留したバラ紙幣をすべて、紙幣収納出金部４５の一時貯留領域および紙幣収納部４６の一時貯留領域から繰り出し、第３紙幣搬送部４２、紙幣識別計数部３５、第２紙幣搬送部３４および第１紙幣搬送部２９で紙幣出金返却部３１に搬送する。紙幣収納出金部４５および紙幣収納部４６に一時貯留したバラ紙幣がすべて紙幣出金返却部３１に搬送されると、制御部２０は、紙幣出金返却部３１のシャッタを開いて、返却されたバラ紙幣を紙幣出金返却部３１から装置外に取り出し可能にする。
【００４１】
「バラ紙幣出金処理」
バラ紙幣出金処理も、貨幣処理装置１１で通常行われる貨幣処理の一つである。表示操作部１４に出金金額の入力を含めた出金処理の選択操作がなされると、制御部２０は、バラ紙幣の出金があればバラ紙幣出金処理を行う。バラ紙幣出金処理において、制御部２０は、紙幣収納出金部４５からバラ紙幣を第３紙幣搬送部４２に繰り出すことになり、繰り出したバラ紙幣を、紙幣識別計数部３５で識別および計数し、その結果に基づいて、表裏反転が必要でないバラ紙幣を、第２紙幣搬送部３４で表裏反転せずに第１紙幣搬送部２９でシャッタが閉状態の紙幣出金返却部３１に搬送し、表裏反転が必要なバラ紙幣を、第２紙幣搬送部３４で表裏反転して第１紙幣搬送部２９で紙幣出金返却部３１に搬送する。なお、制御部２０は、紙幣識別計数部３５が搬送異常と識別したり、金種識別不良と識別した、正常紙幣以外のリジェクト紙幣については、第２紙幣搬送部３４および第１紙幣搬送部２９で紙幣出金リジェクト庫３２に収納する。以上のようにして、入力された金種別の出金枚数のバラ紙幣を、金種別に、表裏を取り揃えながら紙幣出金返却部３１に繰り出す。その後、制御部２０は、紙幣出金返却部３１のシャッタを開き、紙幣出金返却部３１からバラ紙幣を装置外に取り出し可能にする。
【００４２】
「束紙幣出金処理」
束紙幣返却処理も、貨幣処理装置１１で通常行われる貨幣処理の一つである。表示操作部１４に出金処理の選択操作がなされると、制御部２０は、束紙幣の出金があれば束紙幣出金処理を行う。束紙幣出金処理において、制御部２０は、紙幣収納出金部４５に収納している第１金種のバラ紙幣を結束して出金する場合、紙幣収納出金部４５で第１金種のバラ紙幣を繰り出し第３紙幣搬送部４２および紙幣識別計数部３５で搬送する。そして、制御部２０は、紙幣識別計数部３５でバラ紙幣を識別および計数し、表裏反転が必要でないバラ紙幣を、第２紙幣搬送部３４で表裏反転せずに第１紙幣搬送部２９で整列部３６に、表裏反転が必要な紙幣を、第２紙幣搬送部３４で表裏反転して第１紙幣搬送部２９で整列部３６に、それぞれ搬送する。これにより、第１金種の紙幣が結束単位枚数だけ整列部３６に繰り出される。なお、制御部２０は、紙幣識別計数部３５が重送、斜行あるいはニアフィード等の搬送異常と識別したり金種識別不良と識別したリジェクト紙幣については、第２紙幣搬送部３４および第１紙幣搬送部２９で紙幣出金リジェクト庫３２に収納する。そして、制御部２０は、指定された第１金種の結束単位枚数のバラ紙幣を整列部３６から、昇降搬送部３７で結束部３８に搬送し、結束部３８で結束させて、結束部３８で束出金部３９に繰り出す。
【００４３】
束紙幣出金処理では、以上のような処理を、指定された金種毎に指定された束数分行うことになり、指定された全金種のそれぞれについて、指定された全束数の束紙幣を束出金部３９に繰り出すことになる。束紙幣出金処理の最後に、制御部２０は、束出金部３９のシャッタを開いて束出金部３９から束紙幣を取り出し可能にする。
【００４４】
「バラ紙幣回収処理」
バラ紙幣回収処理も、貨幣処理装置１１で通常行われる貨幣処理の一つである。表示操作部１４にバラ紙幣回収処理の選択操作がなされると、制御部２０は、バラ紙幣回収処理を行う。バラ紙幣回収処理において、制御部２０は、紙幣収納出金部４５に収納している第１金種の紙幣を回収する場合、紙幣収納出金部４５で第１金種のバラ紙幣を繰り出し第３紙幣搬送部４２および紙幣識別計数部３５で搬送する。そして、紙幣識別計数部３５で搬送中にバラ紙幣を識別および計数し、第２紙幣搬送部３４で収納カセット４７に搬送する。なお、紙幣識別計数部３５で搬送異常と識別したり金種識別不良と識別した、正常紙幣以外のリジェクト紙幣については、第２紙幣搬送部３４および第１紙幣搬送部２９で紙幣出金リジェクト庫３２に搬送し、収納する。
【００４５】
「バラ紙幣補充処理」
バラ紙幣補充処理も、貨幣処理装置１１で通常行われる貨幣処理の一つである。表示操作部１４にバラ紙幣補充処理の選択操作がなされると、制御部２０は、バラ紙幣補充処理を行う。バラ紙幣補充処理において、制御部２０は、補充用の紙幣が装置外で装填された状態で筐体２１にセットされた収納カセット４７のバラ紙幣を、第３紙幣搬送部４２、第２紙幣搬送部３４、紙幣識別計数部３５および第３紙幣搬送部４２の順に搬送し、紙幣収納出金部４５に収納する。なお、紙幣識別計数部３５で搬送異常と識別したり金種識別不良と識別した、正常紙幣以外のリジェクト紙幣については、第２紙幣搬送部３４および第１紙幣搬送部２９で紙幣出金リジェクト庫３２に搬送し、収納する。このとき、搬送路が重なるため、収納カセット４７からのバラ紙幣の繰り出しは一時中断する。
【００４６】
［硬貨処理部１３］
硬貨処理部１３は、図３に示すように、貨幣であるバラ硬貨に関する処理を行うバラ硬貨処理部６１と、バラ硬貨を所定の包装単位枚数ずつ一体に纏めた棒金（包装硬貨）に関する処理を行う棒金処理部６２とを有している。
【００４７】
｛バラ硬貨処理部６１｝
バラ硬貨処理部６１は、外部から入金されたバラ硬貨の入金処理を行う硬貨入金部６５と、硬貨入金部６５からバラ硬貨を受け入れて収納する収納処理を行うとともに収納しているバラ硬貨を外部に取り出し可能に出金する出金処理を行う硬貨収納出金部６６と、硬貨入金部６５および硬貨収納出金部６６からバラ硬貨を受け入れて収納する収納処理を行う硬貨収納部６７とを有している。
【００４８】
硬貨入金部６５は、装置外に臨んで設けられてバラ硬貨の入金が行われる入金ホッパ７１を有している。入金ホッパ７１は、図示略のシャッタを有している。入金ホッパ７１は、シャッタが開かれた状態で投入された複数枚のバラ硬貨を纏めて収容可能であり、纏めて収容したバラ硬貨を、シャッタが閉じられた状態で一枚ずつに分離して繰り出す。硬貨入金部６５は、入金ホッパ７１から繰り出されたバラ硬貨を搬送しつつ真偽、金種および正損を識別して計数する硬貨識別計数部７２と、硬貨識別計数部７２で搬送中に偽つまり受け入れ不可と識別されたバラ硬貨を収容する入金リジェクト箱７５とを有している。
【００４９】
入金リジェクト箱７５は、複数枚のバラ硬貨を纏めて収容可能であり、筐体２１に対し着脱可能になっている。入金リジェクト箱７５は、筐体２１に装填された状態で、硬貨識別計数部７２で搬送されてきた受け入れ不可のバラ硬貨を収容し、筐体２１から取り外されることで、収容しているバラ硬貨が装置外に取り出し可能となる。
【００５０】
硬貨識別計数部７２は、搬送中に真つまり受け入れ可能と識別されたバラ硬貨を放出シュート８１に放出する。放出シュート８１は、装置外から図示略の収納袋が装着されることになり、装着された収納袋内に、硬貨識別計数部７２で案内されたバラ硬貨を放出する。ここで、入金ホッパ７１に投入されたバラ硬貨の中から、設定金種のバラ硬貨を設定枚数だけ収納袋に収納するローカル袋取り処理時に、硬貨識別計数部７２が、その識別結果に基づいて、収納袋が装着された放出シュート８１に設定金種のバラ硬貨を設定枚数だけ案内し、設定金種以外の硬貨および設定枚数を超える硬貨を入金リジェクト箱７５に案内する。
【００５１】
硬貨識別計数部７２は、真つまり受け入れ可能と識別されたバラ硬貨を棒金処理部６２にも搬送する。ここで、入金ホッパ７１に投入されたバラ硬貨の中から、設定金種のバラ硬貨を包装して棒金とするローカル包装処理時に、硬貨識別計数部７２が、その識別結果に基づいて、設定金種のバラ硬貨を棒金処理部６２に案内し、設定金種以外のバラ硬貨を入金リジェクト箱７５に案内する。棒金処理部６２は、バラ硬貨処理部６１から送り込まれたバラ硬貨を所定の包装単位枚数（例えば５０枚）ずつ集積させて包装する。
【００５２】
硬貨入金部６５は、硬貨識別計数部７２で受け入れ可能と識別された硬貨を一時貯留する硬貨一時貯留庫８２を有している。硬貨一時貯留庫８２は、複数枚のバラ硬貨を纏めて収容可能であり、硬貨識別計数部７２の識別結果に基づいて、受け入れ可能なバラ硬貨のうち汚損のないバラ硬貨を単一金種毎に分類して一時貯留するとともに、これらとは分類して、受け入れ可能な汚損のあるバラ硬貨を全金種一括で一時貯留する。
【００５３】
硬貨入金部６５は、硬貨一時貯留庫８２が分類して貯留しているバラ硬貨を外部に取り出し可能に返却する硬貨返却箱８５を有している。硬貨返却箱８５は、複数枚のバラ硬貨を纏めて収容可能であり、硬貨一時貯留庫８２で分類されて一時貯留されているバラ硬貨をその分類状態のままで収容する。硬貨返却箱８５は、筐体２１に対し着脱可能である。なお、硬貨返却箱８５は、バラ硬貨を硬貨一時貯留庫８２の分類状態のまま収容せずに、金種混合で一括して収容するものであっても良い。
【００５４】
硬貨収納出金部６６は、硬貨一時貯留庫８２が分類して貯留しているバラ硬貨のうち汚損のないバラ硬貨を出金可能に収納する硬貨還流庫９１を有している。硬貨還流庫９１は、複数枚のバラ硬貨を纏めて収容可能であり、硬貨一時貯留庫８２で金種別に分類されて一時貯留されているバラ硬貨を分類状態のままで出金可能に収納する。硬貨還流庫９１は収納しているバラ硬貨を金種別に計数しつつ一枚ずつ繰り出し可能となっている。
【００５５】
硬貨収納出金部６６は、硬貨一時貯留庫８２が分類して貯留しているバラ硬貨のうち汚損のあるバラ硬貨を収納する汚損貨庫９２を有している。汚損貨庫９２は、複数枚のバラ硬貨を纏めて収容可能であり、硬貨一時貯留庫８２で金種混合で収容された汚損のあるバラ硬貨を出金可能に収納する。汚損貨庫９２は、筐体２１に対し着脱可能に設けられている。汚損貨庫９２は、筐体２１から取り外されることで、収納した硬貨が装置外に取り出し可能となる。
【００５６】
硬貨収納出金部６６は、硬貨還流庫９１および汚損貨庫９２から繰り出されたバラ硬貨を搬送する硬貨出金搬送部９５と、硬貨出金搬送部９５で搬送されてきたバラ硬貨を繰り出し可能に収容する精査搬送部９６と、硬貨出金搬送部９５で搬送されてきたバラ硬貨を装置外に取り出し可能とする硬貨出金箱９７とを有している。硬貨出金搬送部９５は、硬貨還流庫９１および汚損貨庫９２から計数しつつ繰り出されたバラ硬貨を搬送しつつ識別を行って計数する。硬貨還流庫９１と精査搬送部９６とは、筐体２１に対し前方に引き出し可能となっている。硬貨出金箱９７は、複数枚のバラ硬貨を纏めて収容可能である。硬貨出金箱９７は、筐体２１に対し着脱可能となっており、筐体２１から取り外されることで、収容した硬貨が外部に取り出し可能となる。
【００５７】
硬貨収納部６７は、硬貨一時貯留庫８２が分類して貯留しているバラ硬貨をその分類状態のままで収納する金庫カセット１０１を有している。金庫カセット１０１は、複数枚のバラ硬貨を纏めて収容可能であり、筐体２１に対し着脱可能となっている。なお、金庫カセット１０１は、バラ硬貨を金種別に分類せずに、金種混合で一括して収納するものであっても良い。金庫カセット１０１は、収納しているバラ硬貨を繰り出し不可となっている。
【００５８】
硬貨収納出金部６６の硬貨還流庫９１は、バラ硬貨を収納するとともに、収納しているバラ硬貨を金種別に繰り出し可能に構成されている。硬貨収納部６７は、硬貨還流庫９１とは別に設けられた金庫カセット１０１にバラ硬貨を収納する。硬貨一時貯留庫８２は、バラ硬貨を貯留するとともに貯留しているバラ硬貨の収納先を、硬貨還流庫９１および汚損貨庫９２と、金庫カセット１０１と、硬貨返却箱８５と、に選択的に切り替える。硬貨一時貯留庫８２からのバラ硬貨の収納先となった場合、硬貨還流庫９１はバラ硬貨を金種別に分けて繰り出し可能に収納する。
【００５９】
硬貨収納部６７は、硬貨出金箱９７に収容されているバラ硬貨を収容する出金回収箱１０４を有している。出金回収箱１０４は、複数枚のバラ硬貨を纏めて収容可能であり、筐体２１に対し着脱可能となっている。出金回収箱１０４は、筐体２１から取り外されることで、収容しているバラ硬貨が装置外に取り出し可能となる。
【００６０】
硬貨出金搬送部９５は、搬送中のバラ硬貨を識別し、その結果に基づいて、出金すべきバラ硬貨を硬貨出金箱９７に収容したり、硬貨出金箱９７での出金に適さないバラ硬貨を、硬貨出金箱９７を介して出金回収箱１０４に収容したりする。また、硬貨出金搬送部９５は、識別計数したバラ硬貨を棒金処理部６２に搬送する。さらに、硬貨出金搬送部９５は、識別計数したバラ硬貨を精査搬送部９６に搬送する。精査搬送部９６は、硬貨出金搬送部９５から受け入れたバラ硬貨を、硬貨還流庫９１および汚損貨庫９２に搬送する。
【００６１】
貨幣処理装置１１は、硬貨処理部１３に、貨幣処理装置１１の各部に電源を供給する電源部１５と、貨幣処理装置１１の全体を制御する制御部２０とが設けられている。
【００６２】
｛棒金処理部６２｝
棒金処理部６２は、硬貨出金搬送部９５から繰り出されたバラ硬貨を受け入れて所定の包装単位枚数ずつ集積し包装して一体に纏めた棒金とする包装処理を行う包装部１１１と、包装部１１１で作製した棒金を収納する棒金収納部１１２と、包装部１１１および棒金収納部１１２から棒金を受け入れて外部に取り出し可能に出金する棒金出金部１１３と、を有している。
【００６３】
包装部１１１は、硬貨収納出金部６６の硬貨還流庫９１から繰り出され、硬貨出金搬送部９５で棒金処理部６２に搬送されてきたバラ硬貨を受け取って包装する。また、包装部１１１は、入金ホッパ７１から繰り出され、硬貨識別計数部７２から棒金処理部６２に搬送されてきたバラ硬貨を受け取って包装する。
【００６４】
ここで、硬貨処理部１３は、硬貨還流庫９１のいずれか一金種の硬貨量が所定量である包装基準値を超えると、自動包装処理を行うことになる。自動包装処理においては、硬貨還流庫９１が、収納しているバラ硬貨のうち硬貨量が包装基準値を超えた金種のバラ硬貨を繰り出し、硬貨出金搬送部９５が棒金処理部６２に搬送して、包装部１１１が包装する。
【００６５】
また、硬貨処理部１３は、入金ホッパ７１に投入された硬貨を包装するローカル包装処理において、硬貨識別計数部７２が、入金ホッパ７１に投入されたバラ硬貨のうち指定された金種以外の硬貨を入金リジェクト箱７５に案内する一方、指定された金種の硬貨を棒金処理部６２に搬送して、包装部１１１が包装する。
【００６６】
包装部１１１は、バラ硬貨処理部６１からバラ硬貨を受け入れるとともに、受け入れたバラ硬貨を、金種識別しつつ計数して包装単位枚数（５０枚）ずつ繰り出す包装用硬貨計数部１２１と、包装用硬貨計数部１２１から繰り出された包装単位枚数の硬貨を集積させて紙あるいは樹脂フィルムからなる包装紙を巻き回し、この包装紙を切断した後、集積方向に両側の包装紙の余長部分を内側に丸めるように加締めることにより棒金とする硬貨集積包装部１２２と、を有している。包装用硬貨計数部１２１は、受け入れた複数枚のバラ硬貨を纏めて収容可能であり、これらのバラ硬貨を一枚ずつ分離し繰り出して識別および計数する。
【００６７】
包装部１１１は、硬貨集積包装部１２２から繰り出された棒金を振り分けて搬送する棒金振分搬送部１２３と、棒金振分搬送部１２３からの棒金を収納するクリアボックス１２４と、棒金振分搬送部１２３からの棒金を収納する出金リジェクト庫１２５とを有している。クリアボックス１２４は、例えば、自動包装処理において、包装単位枚数に満たない数の硬貨を包装した端数棒金を収納することになり、出金リジェクト庫１２５は、ローカル包装処理において、包装単位枚数に満たない数の硬貨を包装した端数棒金を収納することになる。クリアボックス１２４および出金リジェクト庫１２５は、いずれも筐体２１に対し着脱可能となっている。クリアボックス１２４および出金リジェクト庫１２５は、いずれも筐体２１から取り外されることで、収容した棒金が外部に取り出し可能となる。
【００６８】
棒金出金部１１３は、棒金振分搬送部１２３からの棒金を受け取って昇降搬送する棒金出金リフト１３１を有している。棒金振分搬送部１２３から棒金出金リフト１３１に搬送される棒金は、端数棒金以外の棒金つまり包装単位枚数の硬貨を包装して作製した正常棒金である。棒金出金部１１３は、棒金出金リフト１３１で搬送されてきた棒金を外部に放出する棒金放出口１３２と、棒金出金リフト１３１で搬送されてきた棒金を受け取って外部に取り出し可能に収容する棒金出金口１３３と、棒金出金リフト１３１で搬送されてきた棒金を外部に取り出し可能に収納する棒金一括収納庫１３４と、を有している。
【００６９】
棒金放出口１３２は、装置外部に臨んで設けられており、棒金出金リフト１３１から受け取った棒金を外に置かれた図示略の受箱に向けて放出する。棒金出金口１３３は、図示略のシャッタを有している。棒金出金口１３３は、装置外部に臨んで設けられており、棒金出金リフト１３１から受け取った棒金を外部に取り出し可能に収容する。棒金一括収納庫１３４は、箱状であって、筐体２１に対し着脱可能である。棒金一括収納庫１３４は、筐体２１に装填された状態で、棒金出金リフト１３１から受け取った棒金を収容し、筐体２１から取り外されることで、収容した棒金が纏めて外部に取り出し可能となる。
【００７０】
棒金収納部１１２は、棒金出金リフト１３１で搬送されてきた棒金を受け取って金種別に分類して収納する。また、棒金収納部１１２は、収納している棒金を計数しつつ棒金出金リフト１３１に繰り出す。棒金出金リフト１３１は、棒金収納部１１２から繰り出された棒金を受け取って、棒金出金口１３３および棒金一括収納庫１３４に振り分ける。
【００７１】
次に、硬貨処理部１３の主要な処理について説明する。
【００７２】
「バラ硬貨入金処理」
バラ硬貨入金処理も、貨幣処理装置１１で通常行われる貨幣処理の一つである。表示操作部１４に入金処理の選択操作がなされると、制御部２０は、バラ硬貨入金処理を行う。バラ硬貨入金処理において、制御部２０は、入金ホッパ７１の図示略のシャッタを開く。この状態で、入金ホッパ７１内にバラ硬貨が投入されたことを図示略のセンサが検出すると、制御部２０は、入金ホッパ７１のシャッタを閉じ、入金ホッパ７１でバラ硬貨を一枚ずつ分離して硬貨識別計数部７２に繰り出し、硬貨識別計数部７２で搬送しながら、真偽、金種および正損を識別して計数する。そして、硬貨識別計数部７２は、偽つまり受け入れ不可と識別されたバラ硬貨を入金リジェクト箱７５に搬送する。他方、硬貨識別計数部７２は、受け入れ可能と識別された硬貨を分類して硬貨一時貯留庫８２に一時貯留する。
【００７３】
そして、入金ホッパ７１内にあった全てのバラ硬貨が入金リジェクト箱７５あるいは硬貨一時貯留庫８２に搬送されると、制御部２０は、入金処理として前述したバラ紙幣入金処理も並行して行われている場合には、その終了を待って、硬貨識別計数部７２の識別結果から、受け入れ可能なバラ硬貨の金種別の枚数および総額等を表示操作部１４に表示させる。前述したバラ紙幣入金処理が行われている場合には、バラ紙幣入金処理で受け入れ可能と判定して一時貯留しているバラ紙幣の金種別の枚数および総額等も併せて表示操作部１４に表示させる。そして、制御部２０は、表示操作部１４への入金承認操作および入金キャンセル操作の入力を待機する状態となってバラ硬貨入金処理を終了する。
【００７４】
「バラ硬貨収納処理」
バラ硬貨収納処理も、貨幣処理装置１１で通常行われる貨幣処理の一つである。入金処理後、表示操作部１４への入金承認操作が入力された入金承認時に、制御部２０は、バラ硬貨収納処理を行う。バラ硬貨収納処理において、制御部２０は、記憶部１８の在高データ記憶領域２２に記憶されている在高データに、入金処理で受け入れ可能としたデータ分を加算するとともに、硬貨還流庫９１がバラ硬貨を繰り出す繰出処理を行っているか否かと、硬貨還流庫９１のいずれかの金種の収納量が今回のバラ硬貨を受け入れ不可であるか否かとを判定する。硬貨還流庫９１がバラ硬貨を繰り出す繰出処理を行っている場合および硬貨還流庫９１のいずれかの金種の収納量が今回のバラ硬貨を受け入れ不可な場合、制御部２０は、硬貨一時貯留庫８２からバラ硬貨を分類状態のままで硬貨収納部６７の金庫カセット１０１に収納する。他方、硬貨還流庫９１がバラ硬貨を繰り出す繰出処理を行っておらず、硬貨還流庫９１のいずれの金種も今回のバラ硬貨を受け入れ可能な場合、制御部２０は、硬貨一時貯留庫８２からバラ硬貨を分類状態のままで硬貨収納出金部６６の硬貨還流庫９１および汚損貨庫９２に収納する。
【００７５】
「バラ硬貨返却処理」
バラ硬貨返却処理も、貨幣処理装置１１で通常行われる貨幣処理の一つである。入金処理後、表示操作部１４への入金キャンセル操作が入力された入金キャンセル時に、制御部２０は、バラ硬貨返却処理を行う。バラ硬貨返却処理において、制御部２０は、記憶部１８の在高データ記憶領域２２に記憶されている在高データに、入金処理で受け入れ可能としたデータ分を加算することなく、硬貨一時貯留庫８２からバラ硬貨を分類状態のままで硬貨返却箱８５に収容し、硬貨返却箱８５の筐体２１へのロックを解除して、返却されたバラ硬貨を硬貨返却箱８５から装置外に取り出し可能にする。
【００７６】
「バラ硬貨出金処理」
バラ硬貨出金処理も、貨幣処理装置１１で通常行われる貨幣処理の一つである。表示操作部１４に出金金額の入力を含めた出金処理の選択操作がなされると、制御部２０は、バラ硬貨の出金があればバラ硬貨出金処理を行う。バラ硬貨出金処理において、制御部２０は、硬貨還流庫９１から対応する金種のバラ硬貨を計数しつつ硬貨出金搬送部９５に繰り出し、硬貨出金搬送部９５が識別および計数しつつ硬貨出金箱９７に搬送する。このようにして、入力された金種別の出金枚数のバラ硬貨を硬貨出金箱９７に搬送する。そして、制御部２０は、硬貨出金箱９７の筐体２１へのロックを解除し、硬貨出金箱９７からバラ硬貨を装置外に取り出し可能にする。ここで、バラ硬貨出金処理において、硬貨出金搬送部９５が、出金させるバラ硬貨に含まれない金種のバラ硬貨や、出金枚数を超える枚数のバラ硬貨を検出した場合、制御部２０は、硬貨出金箱９７に貯留していた全てのバラ硬貨を、出金回収箱１０４に収容して、バラ硬貨出金処理をやり直す。
【００７７】
「棒金出金処理」
棒金出金処理も、貨幣処理装置１１で通常行われる貨幣処理の一つである。表示操作部１４に出金金額の入力を含めた出金処理の選択操作がなされると、制御部２０は、棒金の出金があれば棒金出金処理を行う。棒金出金処理において、制御部２０は、棒金収納部１１２から対応する金種の棒金を計数しつつ棒金出金リフト１３１に繰り出し、棒金出金リフト１３１が棒金出金口１３３に搬送する。このようにして、入力された金種別の本数の棒金を金種別に棒金出金口１３３に搬送する。そして、制御部２０は、棒金出金口１３３の図示略のシャッタを開いて、棒金出金口１３３から棒金を装置外に取り出し可能にする。
【００７８】
第１実施形態において、貨幣処理装置１１は、上記したように貨幣処理装置１１に生じた振動を直接検知する振動検知部１９を有している。そして、制御部２０は、この振動検知部１９により検知された振動に応じて、紙幣処理部１２および硬貨処理部１３を保護する保護処理を行う。その際に、記憶部１８は、振動検知部１９により検知された振動に関する情報と制御部２０により実行した保護処理に関する情報とが対応付けられた管理ログデータを管理ログ記憶領域２３に記憶するようになっている。ここで、振動検知部１９は、振動値と、この振動値の震度換算値とを検知可能である。すなわち、振動検知部１９は、感震センサであり、震度との相関関係があるスペクトル強度を計測することで震度も検知可能となっている。なお、単純な振動検知センサでは地震による振動と人為的な衝撃とを区別することが困難であるが、振動検知に感震センサを使用することで、地震と人為的衝撃等とを区別できる。
【００７９】
「保護処理」
保護処理について説明する。
【００８０】
制御部２０は、電源スイッチが操作されて装置電源がオンされると、上記した通常行われる貨幣処理と並行して保護処理を行うことになる。保護処理において、制御部２０は、図４に示すように、貨幣処理装置１１が貨幣処理動作中であるか否かを判定し（ステップＳ１）、貨幣処理動作中である場合には（ステップＳ１：ＹＥＳ）、振動検知部１９で振動値を検知させる（ステップＳ２）。制御部２０は、振動検知部１９で検知した振動値が所定の閾値以上であるか否かを判定し（ステップＳ３）、検知した振動値が所定の閾値以上でなければ（ステップＳ３：ＮＯ）、振動検知部１９で検知した振動値の震度換算値が所定の震度、具体的には震度５相当以上であるか否かを判定する（ステップＳ４）。制御部２０は、震度換算値が所定の震度以上でなければ（ステップＳ４：ＮＯ）、今回の保護処理を終了し、ステップＳ１に戻る。
【００８１】
制御部２０は、ステップＳ２において振動検知部１９で検知した振動値が所定の閾値以上である場合（ステップＳ３：ＹＥＳ）、紙幣処理部１２がバラ紙幣の搬送の上流側の繰り出し動作を行っていれば、紙幣処理部１２に対しこの搬送の上流側の繰り出し動作を停止させ、紙幣処理部１２が集積紙幣あるいは束紙幣の搬送の上流側の繰り出し動作を行っていれば、紙幣処理部１２に対しこの搬送の上流側の繰り出し動作を停止させ、硬貨処理部１３がバラ硬貨の搬送の上流側の繰り出し動作を行っていれば、硬貨処理部１３に対しバラ硬貨のこの搬送の上流側の繰り出し動作を停止させ、硬貨処理部１３が集積硬貨あるいは棒金の搬送の上流側の繰り出し動作を行っていれば、硬貨処理部１３に対し棒金のこの搬送の上流側の繰り出し動作を停止させる（ステップＳ５）。
【００８２】
そして、制御部２０は、ステップＳ５の直前まで紙幣処理部１２がバラ紙幣の搬送の上流側の繰り出し動作を行っていた場合、紙幣処理部１２に対し、この搬送の上流側の繰り出し動作で繰り出されて搬送中のバラ紙幣の場所が確定できるまで搬送を継続させる搬送中貨幣の場所確定動作を行う（ステップＳ６）。
【００８３】
また、制御部２０は、ステップＳ５の直前まで紙幣処理部１２が集積紙幣あるいは束紙幣の搬送の上流側の繰り出し動作を行っていた場合、紙幣処理部１２に対し、この搬送の上流側の繰り出し動作で繰り出されて搬送中の集積紙幣あるいは束紙幣の場所を確定できるまで搬送を継続させる搬送中貨幣の場所確定動作を行う（ステップＳ６）。
【００８４】
また、制御部２０は、ステップＳ５の直前まで硬貨処理部１３がバラ硬貨の搬送の上流側の繰り出し動作を行っていた場合、硬貨処理部１３に対し、この搬送の上流側の繰り出し動作で繰り出されて搬送中のバラ硬貨の場所を確定できるまで搬送を継続させる搬送中貨幣の場所確定動作を行う（ステップＳ６）。
【００８５】
また、制御部２０は、ステップＳ５の直前まで硬貨処理部１３が集積硬貨あるいは棒金の搬送の上流側の繰り出し動作を行っていた場合、硬貨処理部１３に対し、この搬送の上流側の繰り出し動作で繰り出されて搬送中の集積硬貨あるいは棒金の場所を確定できるまで搬送を継続させる搬送中貨幣の場所確定動作を行う（ステップＳ６）。
【００８６】
ここで、貨幣処理装置１１内で貨幣の場所を確定できる場所は、入金処理、返却処理および出金処理等の、保護処理以外の通常の貨幣処理で、貨幣を停止させずに連続して搬送する搬送の終点となる場所である。貨幣がバラ紙幣およびバラ硬貨である場合は、複数枚を移動させずに収容しておくことが通常の貨幣処理に行われる収容場所である。
【００８７】
そして、制御部２０は、紙幣処理部１２がステップＳ５の直前までバラ紙幣の搬送の上流側の繰り出し動作を行っていた場合、この搬送の上流側の繰り出し動作で繰り出されて搬送中のバラ紙幣の場所を確定後、紙幣処理部１２に対し、このようにバラ紙幣を搬送していた部分の搬送動作を停止させる（ステップＳ７）。
【００８８】
また、制御部２０は、紙幣処理部１２がステップＳ５の直前まで集積紙幣あるいは束紙幣の搬送の上流側の繰り出し動作を行っていた場合、この搬送の上流側の繰り出し動作で繰り出されて搬送中の集積紙幣あるいは束紙幣の場所を確定後、紙幣処理部１２に対し、このように集積紙幣あるいは束紙幣を搬送していた部分の搬送動作を停止させる（ステップＳ７）。
【００８９】
また、制御部２０は、硬貨処理部１３がステップＳ５の直前までバラ硬貨の搬送の上流側の繰り出し動作を行っていた場合、この搬送の上流側の繰り出し動作で繰り出されて搬送中のバラ硬貨の場所を確定後、硬貨処理部１３に対し、バラ硬貨を搬送していた部分の搬送動作を停止させる（ステップＳ７）。
【００９０】
また、制御部２０は、硬貨処理部１３がステップＳ５の直前まで集積硬貨あるいは棒金の搬送の上流側の繰り出し動作を行っていた場合、この搬送の上流側の繰り出し動作で繰り出されて搬送中の集積硬貨あるいは棒金の場所を確定後、硬貨処理部１３に対し、このように集積硬貨あるいは棒金を搬送していた部分の搬送動作を停止させる（ステップＳ７）。
【００９１】
以上のステップＳ５〜Ｓ７が、紙幣処理部１２のバラ紙幣、集積紙幣および束紙幣の少なくともいずれか一つからなる紙幣の貨幣処理の動作中に、振動検知部１９により所定値以上の振動が検知されると、紙幣処理部１２に対し、紙幣の搬送の上流側の繰り出し動作を停止させ、搬送中の紙幣の場所を確定後、搬送動作すなわち貨幣処理動作を停止させる第１の保護処理である。また、ステップＳ５〜Ｓ７は、硬貨処理部１３のバラ硬貨、集積硬貨および棒金のうちの少なくともいずれか一つからなる硬貨の貨幣処理の動作中に、振動検知部１９により所定値以上の振動が検知されると、硬貨処理部１３に対し、硬貨の搬送の上流側の繰り出し動作を停止させ、搬送中の硬貨の場所を確定後、搬送動作すなわち貨幣処理動作を停止させる第１の保護処理である。
【００９２】
制御部２０は、第１の保護処理を行うと、この貨幣処理装置１１の識別情報と、ステップＳ２において振動検知部１９により検知された振動に関する情報である、所定の閾値以上の振動値、その震度換算値およびその検知時刻と、制御部２０により実行した、第１の保護処理に関する情報とを、対応付けて管理ログデータとして記憶部１８の管理ログ記憶領域２３に記憶させる（ステップＳ８）。
【００９３】
ここで、ステップＳ８で記憶部１８に記憶される管理ログデータに含まれる振動値は、貨幣処理動作を停止する基準である所定の閾値以上である。よって、この振動値は、基準以上の外部衝撃の検知により貨幣処理動作を停止した旨を示すことになる。言い換えれば、ステップＳ８で記憶部１８に記憶される管理ログデータは、外部衝撃の検知により貨幣処理動作を停止した旨の情報を含んでいる。
【００９４】
また、管理ログデータに含まれる第１の保護処理に関する情報は、例えば、第１の保護処理で停止させた搬送の始点の識別情報と、第１の保護処理の搬送の終点の場所すなわち第１の保護処理によって確定した貨幣の場所についての識別情報と、第１の保護処理で場所が確定した貨幣の数量情報等である。
【００９５】
例えば、一のバラ紙幣入金処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一のバラ紙幣入金処理の搬送の始点である紙幣入金部３０によるバラ紙幣の繰り出し動作を停止させ（ステップＳ５）、この一のバラ紙幣入金処理でそれまでに紙幣入金部３０から繰り出されて、第１紙幣搬送部２９、第２紙幣搬送部３４、紙幣識別計数部３５および第３紙幣搬送部４２のいずれかで搬送中のバラ紙幣の場所が確定できるまで、第１紙幣搬送部２９、第２紙幣搬送部３４、紙幣識別計数部３５および第３紙幣搬送部４２によるバラ紙幣の搬送を継続させる搬送中貨幣の場所確定動作を行う（ステップＳ６）。
【００９６】
そして、この一のバラ紙幣入金処理の搬送の始点である紙幣入金部３０から、停止直前までに繰り出されたすべてのバラ紙幣が、終点となる紙幣収納出金部４５の一時貯留領域、紙幣収納部４６の一時貯留領域および紙幣出金返却部３１のいずれかに搬送されると、第１紙幣搬送部２９、第２紙幣搬送部３４、紙幣識別計数部３５、第３紙幣搬送部４２、紙幣収納出金部４５、紙幣収納部４６および紙幣出金返却部３１に設けられた図示略の紙幣検知センサの検知結果から、紙幣入金部３０の繰り出し動作の停止時点で搬送中であったバラ紙幣の場所を、紙幣収納出金部４５の一時貯留領域、紙幣収納部４６の一時貯留領域および紙幣出金返却部３１のうちのバラ紙幣が搬送されたものに確定することができる。
【００９７】
その際に、紙幣識別計数部３５の識別結果から、紙幣収納出金部４５の一時貯留領域に搬送されたバラ紙幣の金種別の枚数と、紙幣収納部４６の一時貯留領域に搬送されたバラ紙幣の金種別の枚数とについても確定することができる。他方、紙幣出金返却部３１に搬送されたバラ紙幣については、重送や識別不良のバラ紙幣が含まれなければ、金種別の枚数を確定することができるが、重送や識別不良のバラ紙幣が含まれる場合は、有無を確定することができるものの、金種別の枚数は推定値となる。このとき、この一のバラ紙幣入金処理の開始時に紙幣入金部３０に投入されたバラ紙幣は、紙幣入金部３０に残っているバラ紙幣と、紙幣出金返却部３１に繰り出されたバラ紙幣と、紙幣収納出金部４５の一時貯留領域に一時貯留されているバラ紙幣と、紙幣収納部４６の一時貯留領域に一時貯留されているバラ紙幣とを合わせたものになる。
【００９８】
このようにしてバラ紙幣の場所を確定後、この一のバラ紙幣入金処理において、ステップＳ５の紙幣入金部３０の繰り出し動作の停止時点でバラ紙幣を搬送していた、第１紙幣搬送部２９、第２紙幣搬送部３４、紙幣識別計数部３５および第３紙幣搬送部４２の搬送動作を停止させる（ステップＳ７）。
【００９９】
加えて、制御部２０は、この貨幣処理装置１１の識別情報と、この一のバラ紙幣入金処理中に振動検知部１９により検知された振動に関する情報である、所定の閾値以上の振動値、その震度換算値およびその検知時刻と、この一のバラ紙幣入金処理の識別情報と、この一のバラ紙幣入金処理において第１の保護処理を実行した旨と、この第１の保護処理でバラ紙幣の繰り出し動作を停止させた搬送の始点となる紙幣入金部３０の識別情報と、この第１の保護処理でバラ紙幣の搬送の終点となる紙幣収納出金部４５の識別情報と、この第１の保護処理で紙幣収納出金部４５に搬送されたバラ紙幣の金種別の枚数と、この第１の保護処理が実行された一のバラ紙幣入金処理において紙幣収納出金部４５に搬送されたバラ紙幣の金種別の枚数と、を関連付けて、管理ログデータとして記憶部１８に記憶させる（ステップＳ８）。
【０１００】
これらに、この第１の保護処理でバラ紙幣の搬送の終点となる紙幣収納部４６の識別情報と、この第１の保護処理で紙幣収納部４６に搬送されたバラ紙幣の金種別の枚数と、この第１の保護処理が実行された一のバラ紙幣入金処理において紙幣収納部４６に搬送されたバラ紙幣の金種別の枚数と、この第１の保護処理でバラ紙幣の搬送の終点となる紙幣出金返却部３１の識別情報と、この第１の保護処理で紙幣出金返却部３１に搬送されたバラ紙幣の金種別の枚数と、この第１の保護処理が実行された一のバラ紙幣入金処理において紙幣出金返却部３１に搬送されたバラ紙幣の金種別の枚数と、をさらに関連付けて、管理ログデータとして記憶部１８に記憶させる（ステップＳ８）。ここで、紙幣出金返却部３１に搬送されたバラ紙幣に重送や識別不良のバラ紙幣が含まれる場合、その金種別の枚数は、推定値として記憶する。
【０１０１】
また例えば、一のバラ紙幣返却処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一のバラ紙幣返却処理の搬送の始点である紙幣収納出金部４５の一時貯留領域および紙幣収納部４６の一時貯留領域によるバラ紙幣の繰り出し動作を停止させ（ステップＳ５）、この一のバラ紙幣返却処理でそれまでに紙幣収納出金部４５の一時貯留領域および紙幣収納部４６の一時貯留領域から繰り出されて、第３紙幣搬送部４２、紙幣識別計数部３５、第２紙幣搬送部３４および第１紙幣搬送部２９で搬送中のバラ紙幣の場所が確定できるまで、第３紙幣搬送部４２、紙幣識別計数部３５、第２紙幣搬送部３４および第１紙幣搬送部２９によるバラ紙幣の搬送を継続させる搬送中貨幣の場所確定動作を行う（ステップＳ６）。
【０１０２】
そして、この一のバラ紙幣返却処理の搬送の始点である紙幣収納出金部４５の一時貯留領域および紙幣収納部４６の一時貯留領域から、停止直前までに繰り出されたすべてのバラ紙幣が、終点となる紙幣出金返却部３１に搬送されると、第３紙幣搬送部４２、紙幣識別計数部３５、第２紙幣搬送部３４、第１紙幣搬送部２９および紙幣出金返却部３１に設けられた図示略の紙幣検知センサの検知結果から、紙幣収納出金部４５の一時貯留領域および紙幣収納部４６の一時貯留領域の繰り出し動作の停止時点で搬送中であったバラ紙幣の場所を紙幣出金返却部３１に確定することができる。
【０１０３】
なお、このとき、紙幣識別計数部３５の識別結果から、紙幣出金返却部３１に搬送されたバラ紙幣については、重送や識別不良のバラ紙幣が含まれなければ、金種別の枚数を確定することができるが、重送や識別不良のバラ紙幣が含まれる場合は、有無を確定することができるものの、金種別の枚数は推定値となる。また、このとき、この一のバラ紙幣返却処理で返却すべきバラ紙幣は、紙幣収納出金部４５の一時貯留領域および紙幣収納部４６の一時貯留領域に残っているものと、紙幣出金返却部３１に搬送されたものとからなる。
【０１０４】
このようにしてバラ紙幣の場所を確定後、この一のバラ紙幣返却処理において、紙幣収納出金部４５および紙幣収納部４６の繰り出し動作の停止時点でバラ紙幣を搬送していた、第３紙幣搬送部４２、紙幣識別計数部３５、第２紙幣搬送部３４および第１紙幣搬送部２９の搬送動作を停止させる（ステップＳ７）。
【０１０５】
加えて、制御部２０は、この貨幣処理装置１１の識別情報と、この一のバラ紙幣返却処理中に振動検知部１９により検知された振動に関する情報である、所定の閾値以上の振動値、その震度換算値およびその検知時刻と、この一のバラ紙幣返却処理の識別情報と、この一のバラ紙幣返却処理で第１の保護処理を実行した旨と、紙幣収納出金部４５の一時貯留領域および紙幣収納部４６の一時貯留領域のうち、この第１の保護処理でバラ紙幣の繰り出し動作を停止させた搬送の始点となるものの識別情報と、を関連付けて、管理ログデータとして記憶部１８に記憶させる（ステップＳ８）。
【０１０６】
これらに、この第１の保護処理でバラ紙幣の搬送の終点となる紙幣出金返却部３１の識別情報と、この第１の保護処理で紙幣出金返却部３１に搬送されたバラ紙幣の金種別の枚数と、この第１の保護処理が実行された一のバラ紙幣返却処理において紙幣出金返却部３１に搬送されたバラ紙幣の金種別の枚数と、この一のバラ紙幣返却処理の直前のバラ紙幣入金処理時に受け入れ可能と識別され計数されたバラ紙幣の金種別の枚数と、をさらに関連付けて、管理ログデータとして記憶部１８に記憶させる（ステップＳ８）。
【０１０７】
ここで、この一のバラ紙幣返却処理において、紙幣識別計数部３５が、バラ紙幣の重送や識別不良を検出した場合には、紙幣収納出金部４５の一時貯留領域、紙幣収納部４６の一時貯留領域および紙幣出金返却部３１のバラ紙幣の金種別の枚数が推定値となるため、推定値として記憶させる。
【０１０８】
また例えば、一のバラ紙幣出金処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一のバラ紙幣出金処理の搬送の始点である紙幣収納出金部４５によるバラ紙幣の繰り出し動作を停止させ（ステップＳ５）、この一のバラ紙幣出金処理でそれまでに紙幣収納出金部４５から繰り出されて、第３紙幣搬送部４２、紙幣識別計数部３５、第２紙幣搬送部３４および第１紙幣搬送部２９で搬送中のバラ紙幣の場所が確定できるまで、第３紙幣搬送部４２、紙幣識別計数部３５、第２紙幣搬送部３４および第１紙幣搬送部２９によるバラ紙幣の搬送を継続させる搬送中貨幣の場所確定動作を行う（ステップＳ６）。
【０１０９】
そして、この一のバラ紙幣出金処理の搬送の始点である紙幣収納出金部４５から、停止直前までに繰り出されたすべてのバラ紙幣が、終点となる紙幣出金返却部３１および紙幣出金リジェクト庫３２のいずれかに搬送されると、第３紙幣搬送部４２、紙幣識別計数部３５、第２紙幣搬送部３４、第１紙幣搬送部２９、紙幣出金返却部３１および紙幣出金リジェクト庫３２に設けられた図示略の紙幣検知センサの検知結果から、紙幣収納出金部４５の繰り出し動作の停止時点で搬送中であったバラ紙幣の場所を紙幣出金返却部３１および紙幣出金リジェクト庫３２のバラ紙幣が搬送されたものに確定することができる。
【０１１０】
なお、このとき、紙幣識別計数部３５の識別結果から、紙幣出金返却部３１に搬送されたバラ紙幣については、金種別の枚数も確定できる。また、紙幣出金リジェクト庫３２に搬送されたバラ紙幣については、重送や識別不良のバラ紙幣が含まれなければ、金種別の枚数を確定することができるが、重送や識別不良のバラ紙幣が含まれる場合は、有無を確定することができるものの、金種別の枚数は推定値となる。
【０１１１】
このようにしてバラ紙幣の場所を確定後、この一のバラ紙幣出金処理において、紙幣収納出金部４５の繰り出し動作の停止時点でバラ紙幣を搬送していた、第３紙幣搬送部４２、紙幣識別計数部３５、第２紙幣搬送部３４および第１紙幣搬送部２９の搬送動作を停止させる（ステップＳ７）。
【０１１２】
加えて、制御部２０は、この貨幣処理装置１１の識別情報と、この一のバラ紙幣出金処理中に振動検知部１９により検知された振動に関する情報である、所定の閾値以上の振動値、その震度換算値およびその検知時刻と、この一のバラ紙幣出金処理の識別情報と、この一のバラ紙幣出金処理において第１の保護処理を実行した旨と、この第１の保護処理でバラ紙幣の繰り出し動作を停止させた始点である紙幣収納出金部４５の識別情報と、この第１の保護処理でバラ紙幣の搬送の終点となる紙幣出金返却部３１の識別情報と、を関連付けて、管理ログデータとして記憶部１８に記憶させる（ステップＳ８）。
【０１１３】
これらに、この第１の保護処理で紙幣出金返却部３１に搬送されたバラ紙幣の金種別の枚数と、この第１の保護処理が実行された一のバラ紙幣出金処理において紙幣出金返却部３１に搬送されたバラ紙幣の金種別の枚数と、この第１の保護処理でバラ紙幣の搬送の終点となる紙幣出金リジェクト庫３２の識別情報と、この第１の保護処理で紙幣出金リジェクト庫３２に搬送されたバラ紙幣の金種別の枚数（推定値の場合あり）と、この第１の保護処理が実行された一のバラ紙幣出金処理において紙幣出金リジェクト庫３２に搬送されたバラ紙幣の金種別の枚数（推定値の場合あり）と、をさらに関連付けて、管理ログデータとして記憶部１８に記憶させる（ステップＳ８）。
【０１１４】
また例えば、一の束紙幣出金処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一の束紙幣出金処理の搬送の始点である紙幣収納出金部４５によるバラ紙幣の繰り出し動作を停止させ（ステップＳ５）、この一の束紙幣出金処理でそれまでに紙幣収納出金部４５から繰り出されて、第３紙幣搬送部４２、紙幣識別計数部３５、第２紙幣搬送部３４および第１紙幣搬送部２９で搬送中のバラ紙幣の場所が確定できるまで、第３紙幣搬送部４２、紙幣識別計数部３５、第２紙幣搬送部３４および第１紙幣搬送部２９によるバラ紙幣の搬送を継続させる搬送中貨幣の場所確定動作を行う（ステップＳ６）。
【０１１５】
そして、この一の束紙幣出金処理の搬送の始点である紙幣収納出金部４５から、停止直前までに繰り出されたすべてのバラ紙幣が、終点となる整列部３６および紙幣出金リジェクト庫３２のいずれかに搬送されると、第３紙幣搬送部４２、紙幣識別計数部３５、第２紙幣搬送部３４、第１紙幣搬送部２９、整列部３６および紙幣出金リジェクト庫３２に設けられた図示略の紙幣検知センサの検知結果から、紙幣収納出金部４５の繰り出し動作の停止時点で搬送中であったバラ紙幣の場所を整列部３６および紙幣出金リジェクト庫３２のうちのバラ紙幣が搬送されたものに確定することができる。
【０１１６】
なお、このとき、紙幣識別計数部３５の識別結果から、整列部３６に搬送されたバラ紙幣については、金種別の枚数も確定できる。他方、紙幣出金リジェクト庫３２に搬送されたバラ紙幣については、重送や識別不良のバラ紙幣が含まれない場合は、金種別の枚数を確定することができるが、重送や識別不良のバラ紙幣が含まれる場合は、有無を確定することができるものの、金種別の枚数は推定値となる。
【０１１７】
このようにしてバラ紙幣の場所を確定後、この一の束紙幣出金処理において、紙幣収納出金部４５の繰り出し動作の停止時点でバラ紙幣を搬送していた、第３紙幣搬送部４２、紙幣識別計数部３５、第２紙幣搬送部３４および第１紙幣搬送部２９の搬送動作を停止させる（ステップＳ７）。
【０１１８】
加えて、制御部２０は、この貨幣処理装置１１の識別情報と、この一の束紙幣出金処理中に振動検知部１９により検知された振動に関する情報である、所定の閾値以上の振動値、その震度換算値およびその検知時刻と、この一の束紙幣出金処理の識別情報と、この一の束紙幣出金処理において第１の保護処理を実行した旨と、この第１の保護処理でバラ紙幣の繰り出し動作を停止させた始点である紙幣収納出金部４５の識別情報と、この第１の保護処理でバラ紙幣の搬送の終点となる整列部３６の識別情報と、この第１の保護処理で整列部３６に搬送されたバラ紙幣の金種別の枚数と、この第１の保護処理が実行された一の束紙幣入金処理において整列部３６に搬送されたバラ紙幣の金種別の枚数と、を関連付けて、管理ログデータとして記憶部１８に記憶させる（ステップＳ８）。
【０１１９】
これらに、この第１の保護処理でバラ紙幣の搬送の終点となる紙幣出金リジェクト庫３２の識別情報と、この第１の保護処理で紙幣出金リジェクト庫３２に搬送されたバラ紙幣の金種別の枚数（推定値の場合あり）と、この第１の保護処理が実行された一の束紙幣入金処理において紙幣出金リジェクト庫３２に搬送されたバラ紙幣の金種別の枚数（推定値の場合あり）と、をさらに関連付けて、管理ログデータとして記憶部１８に記憶させる（ステップＳ８）。
【０１２０】
また例えば、一の束紙幣出金処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一の束紙幣出金処理の搬送の始点である整列部３６による集積紙幣の繰り出し動作を停止させ（ステップＳ５）、この一の束紙幣出金処理でそれまでに整列部３６から繰り出されて、昇降搬送部３７で搬送中の集積紙幣の場所が確定できるまで、昇降搬送部３７による集積紙幣の搬送を継続させる搬送中貨幣の場所確定動作を行う（ステップＳ６）。
【０１２１】
そして、この一の束紙幣出金処理の搬送の始点である整列部３６から、停止直前までに繰り出された集積紙幣が、終点となる結束部３８に搬送されると、昇降搬送部３７および結束部３８に設けられた図示略の紙幣検知センサの検知結果から、搬送中であった集積紙幣の場所を、結束部３８に確定することができる。その際に、紙幣識別計数部３５の識別結果から、結束部３８に搬送された集積紙幣の金種および枚数についても確定することができる。
【０１２２】
このようにして集積紙幣の場所を確定後、この一の束紙幣出金処理において、結束部３８に集積紙幣を搬送していた昇降搬送部３７の搬送動作を停止させる（ステップＳ７）。
【０１２３】
加えて、制御部２０は、この貨幣処理装置１１の識別情報と、この一の束紙幣出金処理中に振動検知部１９により検知された振動に関する情報である、所定の閾値以上の振動値、その震度換算値およびその検知時刻と、この一の束紙幣出金処理の識別情報と、この一の束紙幣出金処理において第１の保護処理を実行した旨と、この第１の保護処理で集積紙幣の繰り出し動作を停止させた搬送の始点である整列部３６の識別情報と、この第１の保護処理で集積紙幣の搬送の終点となる結束部３８の識別情報と、この第１の保護処理で結束部３８に搬送された集積紙幣の金種別の枚数と、を関連付けて、管理ログデータとして記憶部１８に記憶させる（ステップＳ８）。
【０１２４】
また例えば、一のバラ紙幣回収処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一のバラ紙幣回収処理の搬送の始点である紙幣収納出金部４５によるバラ紙幣の繰り出し動作を停止させ（ステップＳ５）、この一のバラ紙幣回収処理でそれまでに紙幣収納出金部４５から繰り出されて、第３紙幣搬送部４２、紙幣識別計数部３５、第２紙幣搬送部３４および第１紙幣搬送部２９で搬送中のバラ紙幣の場所が確定できるまで、第３紙幣搬送部４２、紙幣識別計数部３５、第２紙幣搬送部３４および第１紙幣搬送部２９によるバラ紙幣の搬送を継続させる搬送中貨幣の場所確定動作を行う（ステップＳ６）。
【０１２５】
そして、この一のバラ紙幣回収処理の搬送の始点である紙幣収納出金部４５から、停止直前までに繰り出されたすべてのバラ紙幣が、終点となる収納カセット４７および紙幣出金リジェクト庫３２のいずれかに搬送されると、第３紙幣搬送部４２、紙幣識別計数部３５、第２紙幣搬送部３４、第１紙幣搬送部２９、収納カセット４７および紙幣出金リジェクト庫３２に設けられた図示略の紙幣検知センサの検知結果から、紙幣収納出金部４５の繰り出し動作の停止時点で搬送中であったバラ紙幣の場所を収納カセット４７および紙幣出金リジェクト庫３２のうちのバラ紙幣が搬送されたものに確定することができる。
【０１２６】
このようにしてバラ紙幣の場所を確定後、この一のバラ紙幣回収処理において、紙幣収納出金部４５の繰り出し動作の停止時点でバラ紙幣を搬送していた、第３紙幣搬送部４２、紙幣識別計数部３５、第２紙幣搬送部３４および第１紙幣搬送部２９の搬送動作を停止させる（ステップＳ７）。
【０１２７】
なお、このとき、紙幣識別計数部３５の識別結果から、収納カセット４７に搬送されたバラ紙幣については、金種別の枚数も確定できる。他方、紙幣出金リジェクト庫３２に搬送されたバラ紙幣については、重送や識別不良のバラ紙幣が含まれない場合は、金種別の枚数を確定することができるが、重送や識別不良のバラ紙幣が含まれる場合は、有無を確定することができるものの、金種別の枚数は推定値となる。
【０１２８】
加えて、制御部２０は、この貨幣処理装置１１の識別情報と、この一のバラ紙幣回収処理中に振動検知部１９により検知された振動に関する情報である、所定の閾値以上の振動値、その震度換算値およびその検知時刻と、この一のバラ紙幣回収処理の識別情報と、この一のバラ紙幣回収処理において第１の保護処理を実行した旨と、この第１の保護処理でバラ紙幣の繰り出し動作を停止させた搬送の始点である紙幣収納出金部４５の識別情報と、この第１の保護処理でバラ紙幣の搬送の終点となる収納カセット４７の識別情報と、この第１の保護処理で収納カセット４７に搬送されたバラ紙幣の金種別の枚数と、この第１の保護処理が実行された一のバラ紙幣回収処理において収納カセット４７に搬送されたバラ紙幣の金種別の枚数と、を関連付けて、管理ログデータとして記憶部１８に記憶させる（ステップＳ８）。
【０１２９】
これらに、この第１の保護処理でバラ紙幣の搬送の終点となる紙幣出金リジェクト庫３２の識別情報と、この第１の保護処理で紙幣出金リジェクト庫３２に搬送されたバラ紙幣の金種別の枚数（推定値の場合あり）と、この第１の保護処理が実行された一のバラ紙幣回収処理において紙幣出金リジェクト庫３２に搬送されたバラ紙幣の金種別の枚数（推定値の場合あり）と、をさらに関連付けて、管理ログデータとして記憶部１８に記憶させる（ステップＳ８）。
【０１３０】
また例えば、一のバラ紙幣補充処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一のバラ紙幣補充処理の搬送の始点である収納カセット４７によるバラ紙幣の繰り出し動作を停止させ（ステップＳ５）、この一のバラ紙幣補充処理でそれまでに収納カセット４７から繰り出されて、第３紙幣搬送部４２、第２紙幣搬送部３４、紙幣識別計数部３５および第１紙幣搬送部２９で搬送中のバラ紙幣の場所が確定できるまで、第３紙幣搬送部４２、第２紙幣搬送部３４、紙幣識別計数部３５および第１紙幣搬送部２９によるバラ紙幣の搬送を継続させる搬送中貨幣の場所確定動作を行う（ステップＳ６）。
【０１３１】
そして、この一のバラ紙幣補充処理で収納カセット４７から、停止直前までに繰り出されたすべてのバラ紙幣が、終点となる紙幣収納出金部４５の一時貯留領域および紙幣出金リジェクト庫３２のいずれかに搬送されると、第３紙幣搬送部４２、第２紙幣搬送部３４、紙幣識別計数部３５、第１紙幣搬送部２９、紙幣収納出金部４５および紙幣出金リジェクト庫３２に設けられた図示略の紙幣検知センサの検知結果から、収納カセット４７の繰り出し動作の停止時点で搬送中であったバラ紙幣の場所を紙幣収納出金部４５の一時貯留領域および紙幣出金リジェクト庫３２のうちのバラ紙幣が搬送されたものに確定することができる。
【０１３２】
このようにしてバラ紙幣の場所を確定後、この一のバラ紙幣補充処理において、収納カセット４７の繰り出し動作の停止時点でバラ紙幣を搬送していた、第３紙幣搬送部４２、第２紙幣搬送部３４、紙幣識別計数部３５および第１紙幣搬送部２９の搬送動作を停止させる（ステップＳ７）。
【０１３３】
なお、このとき、紙幣識別計数部３５の識別結果から、紙幣収納出金部４５の一時貯留領域に搬送されたバラ紙幣については、金種別の枚数も確定できる。また、紙幣出金リジェクト庫３２に搬送されたバラ紙幣については、重送や識別不良のバラ紙幣が含まれない場合は、金種別の枚数を確定することができるが、重送や識別不良のバラ紙幣が含まれる場合は、有無を確定することができるものの、金種別の枚数は推定値となる。
【０１３４】
加えて、制御部２０は、この貨幣処理装置１１の識別情報と、この一のバラ紙幣補充処理中に振動検知部１９により検知された振動に関する情報である、所定の閾値以上の振動値、その震度換算値およびその検知時刻と、この一のバラ紙幣補充処理の識別情報と、この一のバラ紙幣補充処理において第１の保護処理を実行した旨と、この第１の保護処理でバラ紙幣の繰り出し動作を停止させた搬送の始点となる収納カセット４７の識別情報と、この第１の保護処理でバラ紙幣の搬送の終点となる紙幣収納出金部４５の一時貯留領域の識別情報と、この第１の保護処理で紙幣収納出金部４５の一時貯留領域に搬送されたバラ紙幣の金種別の枚数と、この第１の保護処理が実行された一のバラ紙幣補充処理において紙幣収納出金部４５の一時貯留領域に搬送されたバラ紙幣の金種別の枚数と、を関連付けて、管理ログデータとして記憶部１８に記憶させる（ステップＳ８）。
【０１３５】
これらに、この第１の保護処理でバラ紙幣の搬送の終点となる紙幣出金リジェクト庫３２の識別情報と、この第１の保護処理で紙幣出金リジェクト庫３２に搬送されたバラ紙幣の金種別の枚数（推定値の場合あり）と、この第１の保護処理が実行された一のバラ紙幣回収処理において紙幣出金リジェクト庫３２に搬送されたバラ紙幣の金種別の枚数（推定値の場合あり）と、をさらに関連付けて、管理ログデータとして記憶部１８に記憶させる（ステップＳ８）。
【０１３６】
また例えば、一のバラ硬貨入金処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一のバラ硬貨入金処理の搬送の始点である入金ホッパ７１によるバラ硬貨の繰り出し動作を停止させ（ステップＳ５）、この一のバラ硬貨入金処理でそれまでに入金ホッパ７１から繰り出されて、硬貨識別計数部７２で搬送中のバラ硬貨の場所が確定できるまで、硬貨識別計数部７２によるバラ硬貨の搬送を継続させる搬送中貨幣の場所確定動作を行う（ステップＳ６）。
【０１３７】
そして、この一のバラ硬貨入金処理の搬送の始点である入金ホッパ７１から、停止直前までに繰り出されたすべてのバラ硬貨が、終点となる硬貨一時貯留庫８２および入金リジェクト箱７５のいずれかに搬送されると、硬貨識別計数部７２、硬貨一時貯留庫８２および入金リジェクト箱７５に設けられた図示略の硬貨検知センサの検知結果から、入金ホッパ７１の繰り出し動作の停止時点で搬送中であったバラ硬貨の場所を硬貨一時貯留庫８２および入金リジェクト箱７５のうちのバラ硬貨が搬送されたものに確定することができる。その際に、硬貨一時貯留庫８２に搬送されたバラ硬貨の金種別の枚数についても確定することができる。
【０１３８】
このとき、この一のバラ硬貨入金処理の開始時に入金ホッパ７１に投入されたバラ硬貨は、入金ホッパ７１に残っているバラ硬貨と、入金リジェクト箱７５に繰り出されたバラ硬貨と、硬貨一時貯留庫８２に一時貯留されているバラ硬貨とを合わせたものになる。
【０１３９】
このようにしてバラ硬貨の場所を確定後、この一のバラ硬貨入金処理において、入金ホッパ７１の繰り出し動作の停止時点でバラ硬貨を搬送していた硬貨識別計数部７２の搬送動作を停止させる（ステップＳ７）。
【０１４０】
加えて、制御部２０は、この貨幣処理装置１１の識別情報と、この一のバラ硬貨入金処理中に振動検知部１９により検知された振動に関する情報である、所定の閾値以上の振動値、その震度換算値およびその検知時刻と、この一のバラ硬貨入金処理の識別情報と、この一のバラ硬貨入金処理において第１の保護処理を実行した旨と、この第１の保護処理でバラ硬貨の繰り出し動作を停止させた始点である入金ホッパ７１の識別情報と、この第１の保護処理でバラ硬貨の搬送の終点となる硬貨一時貯留庫８２の識別情報と、を関連付けて、管理ログデータとして記憶部１８に記憶させる（ステップＳ８）。
【０１４１】
これらに、この第１の保護処理で硬貨一時貯留庫８２に搬送されたバラ硬貨の金種別の枚数と、この第１の保護処理が実行された一のバラ硬貨入金処理において硬貨一時貯留庫８２に搬送されたバラ硬貨の金種別の枚数と、この第１の保護処理でバラ硬貨の搬送の終点となる入金リジェクト箱７５の識別情報と、この第１の保護処理で入金リジェクト箱７５に搬送されたバラ硬貨の枚数と、この第１の保護処理が実行された一のバラ硬貨入金処理において入金リジェクト箱７５に搬送されたバラ硬貨の枚数と、をさらに関連付けて、管理ログデータとして記憶部１８に記憶させる（ステップＳ８）。
【０１４２】
また例えば、一のバラ硬貨出金処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、搬送の始点である硬貨還流庫９１によるバラ硬貨の繰り出し動作を停止させ（ステップＳ５）、この一のバラ硬貨出金処理でそれまでに硬貨還流庫９１から繰り出されて、硬貨出金搬送部９５で搬送中のバラ硬貨の場所が確定できるまで、硬貨出金搬送部９５によるバラ硬貨の搬送を継続させる搬送中貨幣の場所確定動作を行う（ステップＳ６）。
【０１４３】
そして、この一のバラ硬貨出金処理の搬送の始点である硬貨還流庫９１から、停止直前までに硬貨出金搬送部９５に繰り出されたすべてのバラ硬貨が、終点となる硬貨出金箱９７に搬送されると、硬貨出金搬送部９５および硬貨出金箱９７に設けられた図示略の硬貨検知センサの検知結果から、硬貨還流庫９１の繰り出し動作の停止時点で搬送中であったバラ硬貨の場所を硬貨出金箱９７に確定することができる。
【０１４４】
このようにしてバラ硬貨の場所を確定後、この一のバラ硬貨出金処理において、硬貨出金搬送部９５の繰り出し動作停止時点でバラ硬貨を搬送していた、硬貨出金搬送部９５の搬送動作を停止させる（ステップＳ７）。なお、このとき、硬貨出金箱９７に繰り出したバラ硬貨については、金種別の枚数も確定できる。
【０１４５】
加えて、制御部２０は、この貨幣処理装置１１の識別情報と、この一のバラ硬貨出金処理中に振動検知部１９により検知された振動に関する情報である、所定の閾値以上の振動値、その震度換算値およびその検知時刻と、この一のバラ硬貨出金処理の識別情報と、この一のバラ硬貨出金処理において第１の保護処理を実行した旨と、この第１の保護処理でバラ硬貨の繰り出し動作を停止させた始点である硬貨還流庫９１の識別情報と、この第１の保護処理でバラ硬貨の搬送の終点となる硬貨出金箱９７の識別情報と、を関連付けて、管理ログデータとして記憶部１８に記憶させる（ステップＳ８）。
【０１４６】
これらに、この第１の保護処理で硬貨出金箱９７に搬送されたバラ硬貨の金種別の枚数と、この第１の保護処理が実行された一のバラ硬貨出金処理において硬貨出金箱９７に搬送されたバラ硬貨の金種別の枚数と、をさらに関連付けて、管理ログデータとして記憶部１８に記憶させる（ステップＳ８）。
【０１４７】
また例えば、一の棒金出金処理の動作中（ステップＳ１：ＹＥＳ）に、ステップＳ２において振動検知部１９で検知した振動値が所定の閾値以上になると（ステップＳ３：ＹＥＳ）、制御部２０は、第１の保護処理として、この一の棒金出金処理の搬送の始点である棒金収納部１１２による棒金の繰り出し動作を停止させ（ステップＳ５）、この一の棒金出金処理でそれまでに棒金収納部１１２から繰り出されて、棒金出金リフト１３１で搬送中の棒金の場所が確定できるまで、棒金出金リフト１３１による棒金の搬送を継続させる搬送中貨幣の場所確定動作を行う（ステップＳ６）。
【０１４８】
そして、この一の棒金出金処理の搬送の始点である棒金収納部１１２から、停止直前までに繰り出されたすべての棒金が、終点となる棒金出金口１３３に搬送されると、棒金出金リフト１３１および棒金出金口１３３に設けられた図示略の棒金検知センサの検知結果から、棒金収納部１１２の繰り出し動作の停止時点で搬送中であった棒金の場所を棒金出金口１３３に確定することができる。
【０１４９】
このようにして棒金の場所を確定後、この一の棒金出金処理において、棒金収納部１１２の繰り出し動作の停止時点で棒金を搬送していた、棒金出金リフト１３１の搬送動作を停止させる（ステップＳ７）。なお、このとき、棒金出金口１３３に繰り出した棒金については、金種別の本数も確定できる。
【０１５０】
加えて、制御部２０は、この貨幣処理装置１１の識別情報と、この一の棒金出金処理中に振動検知部１９により検知された振動に関する情報である、所定の閾値以上の振動値、その震度換算値およびその検知時刻と、この一の棒金出金処理の識別情報と、この一の棒金出金処理において第１の保護処理を実行した旨と、この第１の保護処理で棒金の繰り出し動作を停止させた始点である棒金収納部１１２の識別情報と、この第１の保護処理で棒金の搬送の終点となる棒金出金口１３３の識別情報と、を関連付けて、管理ログデータとして記憶部１８に記憶させる（ステップＳ８）。
【０１５１】
これらに、この第１の保護処理で棒金出金口１３３に搬送された棒金の金種別の本数と、この第１の保護処理が実行された一の棒金出金処理において棒金出金口１３３に搬送された棒金の金種別の本数と、をさらに関連付けて、管理ログデータとして記憶部１８に記憶させる（ステップＳ８）。
【０１５２】
また、例えば、バラ硬貨を包装して棒金とする一の包装処理中に、振動検知部１９で検知した振動値が所定の閾値以上になると、制御部２０は、第１の保護処理として、硬貨集積包装部１２２において硬貨が集積中であって包装前の場合、硬貨集積包装部１２２を停止させる一方、硬貨が集積後包装中の場合、包装してから硬貨集積包装部１２２を停止させる。この場合、硬貨集積包装部１２２の棒金の包装状態に異常がないかを確認させるためのアラームを表示操作部１４に発生させる。
【０１５３】
図４に示すように、ステップＳ２において振動検知部１９で検知した振動値が所定の閾値以上であるとステップＳ３において判定し、ステップＳ５〜Ｓ７で第１の保護処理を行い、ステップＳ８で、検知した振動に関する情報と第１の保護処理に関する情報とが対応付けられた管理ログデータを記憶部１８に記憶すると、制御部２０は、復旧動作の実行を促す画面表示を表示操作部１４に表示させる（ステップＳ９）。制御部２０は、例えば図８に示すように、振動を検知したことを示す「振動を検知しました。」のテキスト表示Ａ１と、復旧動作の実行の入力を受け付ける「復旧」の操作入力表示Ｂ１とを表示させる。
【０１５４】
その後、復旧動作の実行を選択するオペレーション操作である操作入力表示Ｂ１へのタッチ操作が入力されると（ステップＳ１０：ＹＥＳ）、制御部２０は、貨幣処理装置１１の復旧動作を行う（ステップＳ１１）。この復旧動作は、例えば、装置内の搬送路に残留物がないか搬送ベルトを動かし、残留検知センサで確認する。残留物があれば、エラーを通知し、残留物が無く正常であれば、計数を再開する。
【０１５５】
他方、復旧動作の実行を選択するオペレーション操作が入力されなければ（ステップＳ１０：ＮＯ）、制御部２０は、振動検知部１９で振動値を検知させるとともに（ステップＳ１２）、この振動検知部１９で検知した振動値が所定の閾値以上であるか否か（ステップＳ１３）と、復旧動作の実行を選択するオペレーション操作が入力されるか否か（ステップＳ１０）とを、所定時間監視し（ステップＳ１０，Ｓ１２，Ｓ１３，Ｓ１４）、この所定時間の間に振動検知部１９で検知した振動値が所定の閾値以上にならず、復旧動作の実行を選択するオペレーション操作が入力されなければ（ステップＳ１０：ＮＯ、ステップＳ１３：ＮＯ、ステップＳ１４：ＹＥＳ）、待機モードに移行する（ステップＳ１５）。この所定時間の間に、復旧動作の実行を選択するオペレーション操作が入力されると（ステップＳ１０：ＹＥＳ）、制御部２０は、貨幣処理装置１１の復旧動作を行う（ステップＳ１１）。
【０１５６】
待機モードでは、制御部２０は、復旧動作の実行を促す画面表示を表示操作部１４に表示させる。制御部２０は、例えば図８に示すように、振動を検知したことを示す「振動を検知しました。」のテキスト表示Ａ１と、復旧動作の実行の入力を受け付ける「復旧」の操作入力表示Ｂ１とを表示させ、その後、復旧動作の実行を選択するオペレーション操作が入力されると、制御部２０は、上記したステップＳ１１と同様、貨幣処理装置１１の復旧動作を行って、待機モードを終了する。
【０１５７】
ステップＳ１４で判断される所定時間の間に振動検知部１９で検知した振動値が所定の閾値以上になると（ステップＳ１３：ＹＥＳ）、制御部２０は、ステップＳ１２において振動検知部１９により検知された振動に関する情報である、所定の閾値以上の振動値、その震度換算値およびその検知時刻と、装置電源をオフすることとを、上記した第１の保護処理の管理ログデータと対応付けて管理ログデータとして記憶部１８の管理ログ記憶領域２３に記憶させる（ステップＳ１６）。
【０１５８】
そして、制御部２０は、電源部１５を制御して、貨幣処理装置１１の装置電源をオフする（ステップＳ１７）。装置電源をオフした後、制御部２０は、ユーザーによる電源オンの操作が入力されると装置電源をオンする。このステップＳ１７が、ステップＳ５〜Ｓ７の第１の保護処理およびステップＳ８での管理ログデータの記憶後、ステップＳ１２，Ｓ１３において振動検知部１９により所定値以上の振動が再度検知されると、装置電源をオフする第２の保護処理である。このステップＳ１７の第２の保護処理は、閾値以上の振動値の複数回の検知から意図的な衝撃と想定される衝撃を受けると、装置電源をオフする処理である。
【０１５９】
ここで、上記したステップＳ８で記憶部１８に記憶される管理ログデータに含まれる振動値は、貨幣処理動作を停止する基準である所定の閾値以上であり、これと関連づけられてステップＳ１６で記憶部１８に記憶される管理ログデータも所定の閾値以上であり、よって、これらの振動値は、閾値以上の振動値の複数回の検知から意図的な衝撃と想定される衝撃を受けた旨の情報となる。
ステップＳ１７は、待機時に意図的な衝撃と想定される衝撃を受けたことにより装置電源をオフする処理である。
【０１６０】
制御部２０は、上記したステップＳ４において、ステップＳ２で振動検知部１９が検知した振動値の震度換算値が所定の震度である震度５相当以上であると（ステップＳ４：ＹＥＳ）、図５に示すステップＳ１８〜Ｓ２０において、上記したステップＳ５〜Ｓ７と同様の第１の保護処理を行う。
【０１６１】
そして、ステップＳ２１において、上記したステップＳ８と同様、この貨幣処理装置１１の識別情報と、ステップＳ２において振動検知部１９により検知された振動に関する情報である、振動値、その所定の震度以上の震度換算値およびその検知時刻と、制御部２０により実行した、第１の保護処理に関する情報とを、対応付けて管理ログデータとして記憶部１８の管理ログ記憶領域２３に記憶させる。ステップＳ２１で記憶部１８に記憶される管理ログデータには、所定震度以上の震度換算値が含まれており、この所定震度以上の震度換算値は、地震と想定される衝撃を受けたことにより貨幣処理動作を停止した旨の情報となる。
【０１６２】
そして、制御部２０は、ステップＳ２２において、所定時間経過後に装置電源をオフすることを通知する画面表示を表示操作部１４に表示させる。制御部２０は、例えば図９に示すように、地震を検知したことを示す「地震を検知しました。」のテキスト表示Ｃ１と、所定時間Ｘ経過後に装置電源をオフすることを通知する「Ｘ秒後に電源をＯＦＦします。」のテキスト表示Ｄ１と、装置電源のオフのキャンセルの入力を受け付ける「キャンセル」の操作入力表示Ｅ１とを表示させる。その後、ステップＳ２３において、キャンセルの実行を選択するオペレーション操作である操作入力表示Ｅ１へのタッチ操作が入力されると（ステップＳ２３：ＹＥＳ）、ステップＳ２４において、上記したステップＳ１１と同様、貨幣処理装置１１の復旧動作を行う。キャンセル機能を設けることで、強制的に装置電源をオフすることを止めることができ、ユーザーへ装置電源のオフを実行するか否かの判断を委ねることが可能となる。
【０１６３】
他方、ステップＳ２３において、キャンセルの実行を選択するオペレーション操作が入力されなければ、制御部２０は、ステップＳ２３，Ｓ２５〜Ｓ２７において、上記したステップＳ１０，Ｓ１２〜Ｓ１４と同様、振動検知部１９で検知した振動値が所定の閾値以上になるか否かと、キャンセルの実行を選択するオペレーション操作が入力されるか否かとを所定時間監視する。そして、この所定時間の間に振動検知部１９で検知した振動値が所定の閾値以上にならず、キャンセルの実行を選択するオペレーション操作が入力されなければ（ステップＳ２３：ＮＯ、ステップＳ２６：ＮＯ、ステップＳ２７：ＹＥＳ）、ステップＳ２８において装置電源をオフする。装置電源をオフした後、制御部２０は、ユーザーによる電源オンの操作が入力されると装置電源をオンする。
【０１６４】
ステップＳ２７で判断される所定時間の間に振動検知部１９で検知した振動値が所定の閾値以上になると（ステップＳ２６：ＹＥＳ）、制御部２０は、ステップＳ２９において、ステップＳ１６と同様に、ステップＳ２５で振動検知部１９により検知された振動に関する情報である、所定の閾値以上の振動値、その震度換算値およびその検知時刻と、装置電源をオフすることとを、上記したステップＳ１８〜Ｓ２０の第１の保護処理の管理ログデータと対応付けて管理ログデータとして記憶部１８の管理ログ記憶領域２３に記憶させる。
【０１６５】
そして、制御部２０は、ステップＳ３０において、ステップＳ１７と同様に、電源部１５を制御して、貨幣処理装置１１の装置電源をオフする。このステップＳ３０が、ステップＳ１８〜Ｓ２０の第１の保護処理後、ステップＳ２５，Ｓ２６で振動検知部１９により所定値以上の振動が再度検知されると、装置電源をオフする第２の保護処理である。このステップＳ３０の第２の保護処理は、所定の震度以上の震動を検知した後の閾値以上の振動値の検知から余震と想定される衝撃を受けると、装置電源をオフする処理である。
【０１６６】
ここで、上記したステップＳ２１で記憶部１８に記憶される管理ログデータに含まれる震度換算値は、貨幣処理動作を停止する基準である所定の震度以上であり、これと関連づけられてステップＳ２９で記憶部１８に記憶される管理ログデータは、所定の閾値以上であり、よって、これらの振動値は、地震と想定される衝撃を受けた後、余震と想定される衝撃を受けた旨の情報となる。
【０１６７】
制御部２０は、図４に示すステップＳ１において、貨幣処理動作中でない場合には（ステップＳ１：ＮＯ）、図６に示すステップＳ３１〜Ｓ３３において、上記したステップＳ２〜Ｓ４と同様に、振動検知部１９で振動値を検知させ、振動検知部１９で検知した振動値が所定の閾値以上であるか否かを判定し、検知した振動値が所定の閾値以上でなければ、振動検知部１９で検知した振動値の震度換算値が所定の震度、具体的には震度５以上であるか否かを判定する。制御部２０は、震度換算値が所定の震度以上でなければ（ステップＳ３３：ＮＯ）、今回の保護処理を終了し、ステップＳ１に戻る。
【０１６８】
制御部２０は、ステップＳ３１において振動検知部１９で検知した振動値が所定の閾値以上である場合（ステップＳ３２：ＹＥＳ）、この貨幣処理装置１１の識別情報と、振動検知部１９により検知された振動に関する情報である、所定の閾値以上の振動値、その震度換算値およびその検知時刻を、対応付けて管理ログデータとして記憶部１８の管理ログ記憶領域２３に記憶させる（ステップＳ３４）。
【０１６９】
ここで、ステップＳ３４で記憶部１８に記憶される管理ログデータに含まれる振動値は、貨幣処理動作を停止する基準である所定の閾値以上である。よって、この振動値は、待機時に基準以上の外部衝撃を検知した旨を示すことになる。言い換えれば、ステップＳ３４で記憶部１８に記憶される管理ログデータは、待機時に外部衝撃を検知した旨の情報を含んでいる。
【０１７０】
ステップＳ３４で、管理ログデータを記憶部１８に記憶すると、制御部２０は、復旧動作またはイニシャル動作の実行を促す画面表示を表示操作部１４に表示させる（ステップＳ３５）。
【０１７１】
その後、復旧動作またはイニシャル動作の実行を選択するオペレーション操作が入力されると（ステップＳ３６：ＹＥＳ）、制御部２０は、貨幣処理装置１１の復旧動作あるいはイニシャル動作を行う（ステップＳ３７）。復旧動作は、例えば、装置内の搬送路に残留物がないか搬送ベルトを動かし、残留検知センサで確認する。残留物があれば、エラーを通知し、残留物が無く正常であれば、待機モードに移行する。
【０１７２】
他方、ステップＳ３６において、復旧動作またはイニシャル動作の実行を選択するオペレーション操作が入力されなければ（ステップＳ３６：ＮＯ）、制御部２０は、ステップＳ３６，Ｓ３８〜Ｓ４０において、上記したステップＳ２３，Ｓ２５〜Ｓ２７と同様、振動検知部１９で検知した振動値が所定の閾値以上になるか否かと、復旧動作またはイニシャル動作の実行を選択するオペレーション操作が入力されるか否かとを、所定時間監視する。そして、ステップＳ４０で判断される所定時間の間に、振動検知部１９で検知した振動値が所定の閾値以上にならず、復旧動作またはイニシャル動作の実行を選択するオペレーション操作が入力されなければ（ステップＳ３６：ＮＯ、ステップＳ３９：ＮＯ、ステップＳ４０：ＹＥＳ）、ステップＳ４１において、ステップＳ１５と同様の待機モードに移行する。
【０１７３】
ステップＳ４０で判断される所定時間の間に振動検知部１９で検知した振動値が所定の閾値以上になると（ステップＳ３９：ＹＥＳ）、制御部２０は、ステップＳ４２において、ステップＳ３８で振動検知部１９により検知された振動に関する情報である、所定の閾値以上の振動値、その震度換算値およびその検知時刻と、装置電源をオフすることとを、上記したステップＳ３４で記憶した管理ログデータと対応付けて管理ログデータとして記憶部１８の管理ログ記憶領域２３に記憶させる。そして、制御部２０は、ステップＳ４３において、ステップＳ１７と同様に、電源部１５を制御して、貨幣処理装置１１の装置電源をオフする。
【０１７４】
ここで、上記したステップＳ３４で記憶部１８に記憶される管理ログデータに含まれる振動値は、所定の閾値以上であり、これと関連づけられてステップＳ４２で記憶部１８に記憶される管理ログデータも所定の閾値以上であり、よって、これらの振動値は、閾値以上の振動値の複数回の検知から意図的な衝撃と想定される衝撃を受けた旨の情報となる。ステップＳ４３は、待機時に意図的な衝撃と想定される衝撃を複数回受けたことにより装置電源をオフする処理である。
【０１７５】
制御部２０は、上記したステップＳ３３において、振動検知部１９が検知した振動値の震度換算値が所定の震度である震度５相当以上であると（ステップＳ３３：ＹＥＳ）、図７に示すステップＳ４４において、上記したステップＳ３４と同様、この貨幣処理装置１１の識別情報と、ステップＳ３１において振動検知部１９により検知された振動に関する情報である、振動値、その所定の震度以上の震度換算値およびその検知時刻とを、対応付けて管理ログデータとして記憶部１８の管理ログ記憶領域２３に記憶させ、ステップＳ４５において、上記したステップＳ３５と同様、復旧動作またはイニシャル動作の実行を促す画面表示を表示操作部１４に表示させる。ステップＳ４４で記憶部１８に記憶される管理ログデータに含まれる、所定の震度以上の震度換算値は、待機時に地震と想定される衝撃を受けた旨を示している。
【０１７６】
その後、復旧動作またはイニシャル動作の実行を選択するオペレーション操作が入力されると（ステップＳ４６：ＹＥＳ）、制御部２０は、ステップＳ３７と同様、貨幣処理装置１１の復旧動作またはイニシャル動作を行う（ステップＳ４７）。
【０１７７】
他方、ステップＳ４６において、復旧動作またはイニシャル動作の実行を選択するオペレーション操作が入力されなければ、制御部２０は、ステップＳ４６，Ｓ４８〜Ｓ５０において、上記したＳ３６，Ｓ３８〜Ｓ４０と同様、振動検知部１９で検知した振動値が所定の閾値以上になるか否かと、復旧動作またはイニシャル動作の実行を選択するオペレーション操作が入力されるか否かとを所定時間監視し、ステップＳ５０で判断される所定時間の間に振動検知部１９で検知した振動値が所定の閾値以上にならず、復旧動作またはイニシャル動作の実行を選択するオペレーション操作が入力されなければ（ステップＳ４６：ＮＯ、ステップＳ４９：ＮＯ、ステップＳ５０：ＹＥＳ）、ステップＳ５１において、ステップＳ２８と同様、装置電源をオフする。
【０１７８】
ステップＳ５０で判断される所定時間の間に、ステップＳ４８で振動検知部１９によって検知した振動値が所定の閾値以上になると（ステップＳ４９：ＹＥＳ）、制御部２０は、ステップＳ５２において、ステップＳ４８で振動検知部１９により検知された振動に関する情報である、所定の閾値以上の振動値、その震度換算値およびその検知時刻と、装置電源をオフすることとを、上記したステップＳ４４で記憶した管理ログデータと対応付けて管理ログデータとして記憶部１８の管理ログ記憶領域２３に記憶させる。
【０１７９】
そして、制御部２０は、ステップＳ５３において、ステップＳ４３と同様に、電源部１５を制御して、貨幣処理装置１１の装置電源をオフする。このステップＳ５３は、所定の震度以上の震動を検知した後の閾値以上の振動値の検知から余震と想定される衝撃を受けると、装置電源をオフする処理である。ステップＳ５２で記憶部１８に記憶される管理ログデータには、待機時に地震と想定される衝撃を受けた後、余震と想定される衝撃を受けたことにより電源オフした旨の情報を含んでいる。
【０１８０】
以上に述べた第１実施形態によれば、振動を検知する振動検知部１９が貨幣処理装置１１に、振動検知時の保護対象の紙幣処理部１２および硬貨処理部１３とともに具備されており、この振動検知部１９により実際に検知された振動に応じて、制御部２０が紙幣処理部１２および硬貨処理部１３を保護する保護処理を行うため、緊急地震速報に基づいて制御を行う場合と比べて、トラブル回避の正確性を高めることができる。すなわち、緊急地震速報が発生されない状況で、地震や外部からの強い衝撃等が生じた場合に、誤動作や現金障害又は装置故障等が発生するリスクを低減することができる。また、緊急地震速報に基づいて制御を行う場合は、緊急地震速報が発生されると、建物自体に免震構造が備わっている場合でも、装置の処理動作が停止してしまうが、実際に装置に生じた振動を検知した情報により装置の保護を実行することで過剰な動作停止や電源のオフを抑制することができる。
【０１８１】
また、記憶部１８が、外的要因によるトラブルが発生した場合の記録として、振動検知部１９により検知された振動に関する情報と、制御部２０により実行した保護処理に関する情報とが対応付けられた管理ログデータを記憶して残すため、外的要因によるトラブルが発生しても、トラブルの原因追求が可能となる。すなわち、振動検知時に確定貨幣計数記録を直ちに保存することにより、電断が発生した場合でも違算の発生を抑制することができる。
【０１８２】
また、紙幣処理部１２の紙幣処理の動作中に振動検知部１９により所定値以上の振動が検知されると、制御部２０が、紙幣処理部１２に対し、紙幣の搬送の上流側の繰り出し動作を停止させ、搬送中の紙幣の場所を装置内外のいずれか確定可能な場所に確定後、搬送動作を停止させる第１の保護処理を行う。よって、紙幣の搬送の上流側の繰り出し動作を継続してしまうことによるトラブルと、紙幣の搬送を中断してしまうことによるトラブルとを回避できる。加えて、単に行員が装置にぶつかってしまった場合や単発的な地震の発生の場合は、オペレータの操作により容易に復旧可能である。
【０１８３】
また、硬貨処理部１３の硬貨処理の動作中に振動検知部１９により所定値以上の振動が検知されると、制御部２０が、硬貨処理部１３に対し、硬貨の搬送の上流側の繰り出し動作を停止させ、搬送中の硬貨の場所を装置内外のいずれか確定可能な場所に確定後、搬送動作を停止させる第１の保護処理を行う。よって、硬貨の搬送の上流側の繰り出し動作を継続してしまうことによるトラブルと、硬貨の搬送を中断してしまうことによるトラブルとを回避できる。
【０１８４】
また、第１の保護処理後、振動検知部１９により所定値以上の振動が再度検知されると、制御部２０は、装置電源をオフする第２の保護処理を行う。よって、意図的な衝撃を複数回受けた場合や地震発生後に余震が発生した場合に、装置電源をオフすることになり、重大なトラブルに発展することを抑制することができる。
【０１８５】
また、制御部２０が、第２の保護処理において、装置電源のオフのキャンセルの入力を受け付けるため、装置電源をオフすることを止めることができ、ユーザーへ装置電源のオフを実行するか否かの判断を委ねることが可能となる。
【０１８６】
なお、第１実施形態では、貨幣処理中の第１の保護処理において、貨幣処理の搬送中の貨幣を本来の行き先に搬送してから搬送を停止するようにしたが、これに限定されることはなく、搬送中の貨幣を搬送経路的に最も近い、場所を確定可能な場所に搬送してから搬送を停止するようにしても良い。
【０１８７】
例えば、一のバラ紙幣入金処理の動作中に、振動検知部１９で検知した振動値が所定の閾値以上になると、制御部２０は、この一のバラ紙幣入金処理の搬送の始点である紙幣入金部３０によるバラ紙幣の繰り出し動作を停止させ、この一のバラ紙幣入金処理でそれまでに紙幣入金部３０から繰り出されて、第１紙幣搬送部２９、第２紙幣搬送部３４、紙幣識別計数部３５および第３紙幣搬送部４２で搬送中のバラ紙幣を、本来の行き先が紙幣収納部４６や紙幣出金返却部３１であったとしても、可能なものは、本来の行き先よりも搬送距離が短くなる紙幣収納出金部４５に搬送し、紙幣収納出金部４５の一時貯留領域に一時貯留させることによって、場所を紙幣収納出金部４５に確定するようにする。
【０１８８】
また例えば、一のバラ硬貨入金処理の動作中に、振動検知部１９で検知した振動値が所定の閾値以上になると、制御部２０は、この一のバラ硬貨入金処理の搬送の始点である入金ホッパ７１によるバラ硬貨の繰り出し動作を停止させ、この一のバラ硬貨入金処理でそれまでに入金ホッパ７１から繰り出されて、硬貨識別計数部７２で搬送中のバラ硬貨を、識別結果を無視して強制排除して、搬送距離が短くなる入金リジェクト箱７５に搬送することによって、場所を入金リジェクト箱７５に確定するようにする。
【０１８９】
また、紙幣処理部１２に対する保護処理として、結束部３８の施封用ヒータをオフするようにしても良い。
【０１９０】
＜第２実施形態＞
本発明の第２実施形態を主に図１０を参照して第１実施形態との相違部分を中心に以下に説明する。
【０１９１】
図１０に示すように、第２実施形態に係る管理装置２０１は、複数の貨幣処理装置１１Ｂと別体で別位置に設置されてこれら貨幣処理装置１１Ｂを個別に制御する。管理装置２０１は、複数の貨幣処理装置１１Ｂとともに貨幣処理システム２０２を構成している。
【０１９２】
そして、管理装置２０１は、管理装置２０１に生じた振動を直接検知する振動検知部１９と、貨幣処理装置１１Ｂの各種管理に関する管理ログデータを記憶する管理ログ記憶領域２３を有する記憶部１８Ａ（記憶手段）と、管理装置２０１および貨幣処理装置１１Ｂの各部を制御する制御部２０Ａ（保護手段）とを有している。管理装置２０１は、各貨幣処理装置１１Ｂと通信可能であり、各貨幣処理装置１１Ｂと通信するための通信部２０５（送信手段，受信手段）を備えている。記憶部１８Ａ、振動検知部１９、制御部２０Ａおよび通信部２０５は、管理装置２０１の外側部分を構成する筐体２０７内に設けられている。
【０１９３】
貨幣処理装置１１Ｂは、第１実施形態と同様の紙幣処理部１２と、第１実施形態と同様の硬貨処理部１３と、第１実施形態と同様の表示操作部１４と、第１実施形態と同様の電源部１５と、貨幣の在高データを記憶する在高データ記憶領域２２を有する記憶部１８Ｂと、貨幣処理装置１１Ｂの各部を制御する制御部２０Ｂとを有している。貨幣処理装置１１Ｂは、管理装置２０１と通信可能であり、管理装置２０１と通信するための通信部２１１を備えている。第２実施形態では、紙幣処理部１２、硬貨処理部１３、表示操作部１４、電源部１５、記憶部１８Ｂ、制御部２０Ｂおよび通信部２１１が、貨幣処理装置１１Ｂの外側部分を構成する筐体２１Ｂに設けられている。
【０１９４】
第２実施形態では、貨幣処理装置１１Ｂについての第１実施形態の保護処理以外の各貨幣処理は、貨幣処理装置１１Ｂの制御部２０Ｂの制御で行うことになり、貨幣処理装置１１Ｂに対して行われる第１実施形態と同様の保護処理を、管理装置２０１の制御部２０Ａの制御で行う。
【０１９５】
すなわち、管理装置２０１の制御部２０Ａは、管理装置２０１に設けられた振動検知部１９により検知された振動に応じて、接続されたすべての貨幣処理装置１１Ｂの紙幣処理部１２および硬貨処理部１３を保護する保護処理を行う。その際に、管理装置２０１は、通信部２０５が、振動検知部１９により検知された振動に応じた制御部２０Ａの、貨幣処理装置１１Ｂの紙幣処理部１２および硬貨処理部１３を保護するための制御信号を、管理装置２０１と通信可能に接続されたすべての貨幣処理装置１１Ｂの通信部２１１に送信する。管理装置２０１と通信可能に接続されたすべての貨幣処理装置１１Ｂが、この制御信号に基づいて第１実施形態と同様の保護処理を行う。
【０１９６】
また、管理装置２０１は、その通信部２０５が、貨幣処理装置１１Ｂの通信部２１１に送信した制御部２０Ａの制御信号によりすべての貨幣処理装置１１Ｂが実行した保護処理に関する情報を、すべての貨幣処理装置１１Ｂの通信部２１１から受信する。そして、管理装置２０１は、記憶部１８Ａが、振動検知部１９により検知された振動に関する情報と、通信部２０５により受信した、制御部２０Ａの制御信号により実行した各貨幣処理装置１１Ｂの保護処理に関する情報とが対応付けられた、各貨幣処理装置１１Ｂ毎の第１実施形態と同様の管理ログデータを管理ログ記憶領域２３に記憶するようになっている。
【０１９７】
管理装置２０１と複数台の貨幣処理装置１１Ｂとが通信可能に接続されて構成される貨幣処理システム２０２では、管理装置２０１の振動検知部１９で検知した振動が、複数台の貨幣処理装置１１Ｂにも同様に生じていると判断できる範囲内に複数台の貨幣処理装置１１Ｂを設置するのが好ましい。貨幣処理システム２０２は、管理装置２０１と複数台の貨幣処理装置１１Ｂとが、例えば、同じ店舗内に設置されることになる。同じ店舗内でフロアが複数階に分かれる場合は、フロアごとに振動の大きさが異なる可能性があるため、フロアごとに、管理装置２０１と複数台の貨幣処理装置１１Ｂとで構成される貨幣処理システム２０２を設置するのが好ましい。
【０１９８】
以上に述べた第２実施形態によれば、振動を検知する振動検知部１９が管理装置２０１に具備されており、この振動検知部１９により実際に検知された振動に応じて、管理装置２０１の通信部２０５が、貨幣処理装置１１Ｂを保護するための制御信号を、通信可能に接続されたすべての貨幣処理装置１１Ｂに送信する。すると、通信可能に接続されたすべての貨幣処理装置１１Ｂが、この制御信号により制御されて保護処理を実行する。よって、第１実施形態と同様、トラブル回避の正確性を高めることができる。
【０１９９】
そして、管理装置２０１の通信部２０５が、通信可能なすべての貨幣処理装置１１Ｂから、制御信号により実行した保護処理に関する情報を受信すると、管理装置２０１の記憶部１８Ａが、振動検知部１９により検知された振動に関する情報と、通信部２０５により受信した、制御信号により実行した保護処理に関する情報とが対応付けられた管理ログデータを記憶する。よって、第１実施形態と同様、トラブルの原因追求が可能となる効果を奏することができる。
【０２００】
加えて、管理装置２０１は、振動検知部１９を備えており、１台で複数台の貨幣処理装置１１Ｂを制御することができることになるため、各貨幣処理装置１１Ｂに振動検知部を設ける必要がなくなる。したがって、特に管理装置２０１が複数の貨幣処理装置１１Ｂを制御する場合に貨幣処理システム２０２全体の低コスト化が図れる。勿論、１台の管理装置２０１と１台の貨幣処理装置１１Ｂとで貨幣処理システム２０２を構成することも可能である。
【０２０１】
なお、第１実施形態の貨幣処理装置１１に第２実施形態の通信部２０５を設けることで、第１実施形態の貨幣処理装置１１と第２実施形態の複数の貨幣処理装置１１Ｂとを通信可能として、貨幣処理装置１１を貨幣処理親機とし、複数の貨幣処理装置１１Ｂを貨幣処理子機とする貨幣処理システムを構成しても良い。
【０２０２】
その場合、貨幣処理装置１１の制御部２０が、この貨幣処理装置１１に第１実施形態と同様の保護処理を行うとともに、管理装置２０１の制御部２０Ａと同様に、通信可能な複数の貨幣処理装置１１Ｂについても、第１実施形態と同様の保護処理を行う。すなわち、貨幣処理装置１１の制御部２０は、この貨幣処理装置１１に設けられた振動検知部１９により検知された振動に応じてこの貨幣処理装置１１の紙幣処理部１２および硬貨処理部１３を保護する保護処理を行うとともに、管理装置２０１の制御部２０Ａと同様に、この貨幣処理装置１１に設けられた振動検知部１９により検知された振動に応じて、通信可能なすべての貨幣処理装置１１Ｂの紙幣処理部１２および硬貨処理部１３を保護する保護処理を行う。
【０２０３】
そして、貨幣処理装置１１の記憶部１８は、この貨幣処理装置１１が実行した保護処理に関する情報と、この貨幣処理装置１１の振動検知部１９により検知された振動に関する情報とが対応付けられた、この貨幣処理装置１１についての第１実施形態と同様の管理ログデータを管理ログ記憶領域２３に記憶するとともに、貨幣処理装置１１Ｂに送信した制御部２０の制御信号によりすべての貨幣処理装置１１Ｂが実行した保護処理に関する情報を、この貨幣処理装置１１の振動検知部１９により検知された振動に関する情報と対応付けた、各貨幣処理装置１１Ｂ毎の第１実施形態と同様の管理ログデータを管理ログ記憶領域２３に記憶する。
【０２０４】
以上の第１，第２実施形態においては、貨幣処理として紙幣の入出金処理および硬貨の入出金処理を行う貨幣処理装置１１，１１Ｂを例にとり説明したが、貨幣処理装置１１，１１Ｂは、紙幣の入金処理、紙幣の出金処理、硬貨の入金処理および硬貨の出金処理のうちの少なくともいずれか一つの貨幣処理を行う貨幣処理装置であれば良い。
【符号の説明】
【０２０５】
１１，１１Ｂ  貨幣処理装置
１２  紙幣処理部（貨幣処理手段）
１３  硬貨処理部（貨幣処理手段）
１８，１８Ａ  記憶部（記憶手段）
１９  振動検知部（検知手段）
２０，２０Ａ  制御部（保護手段）
２０１  管理装置
２０５  通信部（送信手段，受信手段）
【図１】
2019164523.tif 000003
【図２】
2019164523.tif 000004
【図３】
2019164523.tif 000005
【図４】
2019164523.tif 000006
【図５】
2019164523.tif 000007
【図６】
2019164523.tif 000008
【図７】
2019164523.tif 000009
【図８】
2019164523.tif 000010
【図９】
2019164523.tif 000011
【図１０】
2019164523.tif 000012